(57)【特許請求の範囲】
【請求項１】
ユーザ機器（ＵＥ）によって、時分割複信（ＴＤＤ）キャリアの第１の送信時間間隔（ＴＴＩ）を識別することと、前記第１のＴＴＩがスロットまたはサブフレームの第１のＴＴＩ持続時間を有し、アップリンク送信のために構成される、
前記第１のＴＴＩ内の第２のＴＴＩを識別することと、前記第２のＴＴＩが前記第１のＴＴＩ持続時間より短い第２のＴＴＩ持続時間を有し、データまたはフィードバックのダウンリンク送信のために構成される、
前記ＵＥによって、前記第２のＴＴＩ中に基地局から信号を受信することと
を備える、ワイヤレス通信の方法。
【請求項２】
前記第１のＴＴＩ内の第３のＴＴＩを識別すること、ここにおいて、前記第３のＴＴＩがアップリンク送信のために構成される、
をさらに備える、請求項１に記載の方法。
【請求項３】
前記第２のＴＴＩと前記第３のＴＴＩとの間の第１のガード期間を識別すること、ここにおいて、前記第１のガード期間が前記第１のＴＴＩ内にある、
をさらに備える、請求項２に記載の方法。
【請求項４】
前記第１のＴＴＩまたは前記第２のＴＴＩを識別することが、
前記第１のＴＴＩまたは前記第２のＴＴＩを示す制御シグナリングを受信すること
を備える、請求項１に記載の方法。
【請求項５】
前記第１のＴＴＩ持続時間がロングタームエボリューション（ＬＴＥ）サブフレームを備え、前記第２のＴＴＩ持続時間が１つまたは複数のＬＴＥシンボル期間を備える、請求項１に記載の方法。
【請求項６】
前記第１のＴＴＩ持続時間を有し、ダウンリンク（ＤＬ）部分とアップリンク（ＵＬ）部分とガード期間とを備える特殊サブフレームを識別すること、前記ガード期間がアップリンクまたはダウンリンク送信のために構成された１つまたは複数のＴＴＩを備える、をさらに備える、請求項１に記載の方法。
【請求項７】
前記第１のＴＴＩ中にデータを送信すること、
ここにおいて、前記第２のＴＴＩ中に受信される前記信号は、前記第１のＴＴＩ中に送信される前記データのための肯定応答（ＡＣＫ）または否定応答（ＮＡＣＫ）フィードバックを備える、
をさらに備える、請求項１に記載の方法。
【請求項８】
前記第２のＴＴＩを識別することは、
前記第１のＴＴＩがシステム情報ブロック１（ＳＩＢ１）送信のためにスケジュールされないと決定すること、
前記第２のＴＴＩがセル固有基準信号（ＣＲＳ）送信のためにスケジュールされないと決定すること、あるいは
前記第２のＴＴＩが、物理ブロードキャストチャネル、同期チャネル、または共通探索空間のうちの少なくとも１つのために予約されたリソースブロックにおいてスケジュールされないと決定すること
のうちの少なくとも１つを備える、請求項１に記載の方法。
【請求項９】
前記ＴＤＤキャリアが、キャリアアグリゲーション（ＣＡ）動作のために構成された複数のコンポーネントキャリア（ＣＣ）のうちのＣＣであり、前記複数のＣＣが第２のＣＣを備える、請求項１に記載の方法。
【請求項１０】
前記第２のＣＣがＴＤＤ  ＣＣであり、前記第１のＴＴＩと前記第２のＴＴＩが両方とも半二重動作のために構成される、請求項９に記載の方法。
【請求項１１】
前記ＴＤＤキャリアと前記第２のＣＣとがＴＤＤ  ＣＣであり、前記ＴＤＤキャリアと前記第２のＣＣとがフレームのための相補的送信構成を有し、ここにおいて、前記相補的送信構成が、前記フレームの実質的にあらゆるサブフレームにおけるアップリンク送信のために構成された複数のＴＴＩと、ダウンリンク送信のために構成された少なくとも１つのＴＴＩとを備える、請求項９に記載の方法。
【請求項１２】
前記相補的送信構成が前記ＴＤＤキャリアと前記第２のＣＣとのためのオフセットフレーム構造を備える、請求項１１に記載の方法。
【請求項１３】
ＣＡ動作のために構成された前記複数のＣＣが、アップリンクまたはダウンリンク送信のためにそれぞれ構成された前記第１のＴＴＩ持続時間のＴＴＩを備えるフレームを有する第３のＣＣをさらに備える、請求項９に記載の方法。
【請求項１４】
前記第２のＴＴＩが、第１の時間期間中の前記ＴＤＤキャリア上のダウンリンク送信のために構成され、第２の時間期間中の前記第２のＣＣ上のダウンリンク送信のために構成される、請求項９に記載の方法。
【請求項１５】
ユーザ機器（ＵＥ）によって、時分割複信（ＴＤＤ）キャリアの第１の送信時間間隔（ＴＴＩ）を識別するための手段と、前記第１のＴＴＩがスロットまたはサブフレームの第１のＴＴＩ持続時間を有し、アップリンク送信のために構成される、
前記第１のＴＴＩ内の第２のＴＴＩを識別するための手段と、前記第２のＴＴＩが前記第１のＴＴＩ持続時間より短い第２のＴＴＩ持続時間を有し、データまたはフィードバックのダウンリンク送信のために構成される、
前記ＵＥによって、前記第２のＴＴＩ中に基地局から信号を受信するための手段と
を備える、ワイヤレス通信のための装置。
【請求項１６】
ワイヤレス通信のための装置であって、
プロセッサと、
前記プロセッサと電子通信しているメモリと、
前記メモリに記憶された命令とを備え、ここにおいて、前記命令は、
ユーザ機器（ＵＥ）によって、時分割複信（ＴＤＤ）キャリアの第１の送信時間間隔（ＴＴＩ）を識別することと、前記第１のＴＴＩがスロットまたはサブフレームの第１のＴＴＩ持続時間を有し、アップリンク送信のために構成される、
前記第１のＴＴＩ内の第２のＴＴＩを識別することと、前記第２のＴＴＩが前記第１のＴＴＩ持続時間より短い第２のＴＴＩ持続時間を有し、データまたはフィードバックのダウンリンク送信のために構成される、
前記ＵＥによって、前記第２のＴＴＩ中に基地局から信号を受信することと
を前記装置に行わせるように前記プロセッサによって実行可能である、装置。
【請求項１７】
前記命令は、
前記第１のＴＴＩ内の第３のＴＴＩを識別すること、ここにおいて、前記第３のＴＴＩがアップリンク送信のために構成される、
を前記装置に行わせるように前記プロセッサによって実行可能である、請求項１６に記載の装置。
【請求項１８】
前記命令は、
前記第２のＴＴＩと前記第３のＴＴＩとの間の第１のガード期間を識別すること、ここにおいて、前記第１のガード期間が前記第１のＴＴＩ内にある、
を前記装置に行わせるように前記プロセッサによって実行可能である、請求項１７に記載の装置。
【請求項１９】
前記命令が、
少なくとも１つのＴＴＩを示す制御シグナリングを受信すること
を前記装置に行わせるように実行可能である、請求項１６に記載の装置。
【請求項２０】
前記第１のＴＴＩ持続時間がロングタームエボリューション（ＬＴＥ）サブフレームを備え、前記第２のＴＴＩ持続時間が１つまたは複数のＬＴＥシンボル期間を備える、請求項１６に記載の装置。
【請求項２１】
前記命令は、
前記第１のＴＴＩ持続時間を有し、ダウンリンク（ＤＬ）部分とアップリンク（ＵＬ）部分とガード期間とを備える特殊サブフレームを識別すること、前記ガード期間がアップリンクまたはダウンリンク送信のために構成された１つまたは複数のＴＴＩを備える、を前記装置に行わせるように前記プロセッサによって実行可能である、請求項２０に記載の装置。
【請求項２２】
前記命令は、
前記第１のＴＴＩ中にデータを送信すること、
ここにおいて、前記第２のＴＴＩ中に受信される前記信号は、前記第１のＴＴＩ中に送信されるデータのための肯定応答（ＡＣＫ）または否定応答（ＮＡＣＫ）フィードバックを備える、
を前記装置に行わせるように前記プロセッサによって実行可能である、請求項１６に記載の装置。
【請求項２３】
前記命令が、
前記第１のＴＴＩがシステム情報ブロック１（ＳＩＢ１）送信のためにスケジュールされないと決定すること、
前記第２のＴＴＩがセル固有基準信号（ＣＲＳ）送信のためにスケジュールされないと決定すること、あるいは
前記第２のＴＴＩが、物理ブロードキャストチャネル、同期チャネル、または共通探索空間のうちの少なくとも１つのために予約されたリソースブロックにおいてスケジュールされないと決定すること
を前記装置に行わせるように前記プロセッサによって実行可能である、請求項１６に記載の装置。
【請求項２４】
前記ＴＤＤキャリアが、キャリアアグリゲーション（ＣＡ）動作のために構成された複数のコンポーネントキャリア（ＣＣ）のうちのＣＣであり、前記複数のＣＣが第２のＣＣを備える、請求項１６に記載の装置。
【請求項２５】
前記第２のＣＣがＴＤＤ  ＣＣであり、前記第１のＴＴＩと前記第２のＴＴＩが両方とも半二重動作のために構成される、請求項２４に記載の装置。
【請求項２６】
前記ＴＤＤキャリアと前記第２のＣＣとがＴＤＤ  ＣＣであり、前記ＴＤＤキャリアと前記第２のＣＣとがフレームのための相補的送信構成を有し、ここにおいて、前記相補的送信構成が、前記フレームの実質的にあらゆるサブフレームにおけるアップリンク送信のために構成された複数のＴＴＩと、ダウンリンク送信のために構成された少なくとも１つのＴＴＩとを備える、請求項２４に記載の装置。
【請求項２７】
前記相補的送信構成が前記ＴＤＤキャリアと前記第２のＣＣとのためのオフセットフレーム構造を備える、請求項２６に記載の装置。
【請求項２８】
ワイヤレス通信のためのコードを記憶するコンピュータ可読記憶媒体であって、前記コードは、
ユーザ機器（ＵＥ）によって、時分割複信（ＴＤＤ）キャリアの第１の送信時間間隔（ＴＴＩ）を識別することと、前記第１のＴＴＩがスロットまたはサブフレームの第１のＴＴＩ持続時間を有し、アップリンク送信のために構成される、
前記第１のＴＴＩ内の第２のＴＴＩを識別することと、前記第２のＴＴＩが前記第１のＴＴＩ持続時間より短い第２のＴＴＩ持続時間を有し、データまたはフィードバックのダウンリンク送信のために構成される、
前記ＵＥによって、前記第２のＴＴＩ中に基地局から信号を受信することと
を行うように実行可能な命令を備える、コンピュータ可読記憶媒体。
【発明の詳細な説明】
【技術分野】
【０００１】
相互参照
[0001]本特許出願は、それらの各々が本出願の譲受人に譲渡された、２０１６年１月５日に出願された「Ｌｏｗ  Ｌａｔｅｎｃｙ  ｉｎ  Ｔｉｍｅ  Ｄｉｖｉｓｉｏｎ  Ｄｕｐｌｅｘｉｎｇ」と題するＣｈｅｎらによる米国特許出願第１４／９８８，０６９号、および２０１５年１月２９日に出願された「Ｕｌｔｒａ−Ｌｏｗ  Ｌａｔｅｎｃｙ  ｉｎ  Ｔｉｍｅ  Ｄｉｖｉｓｉｏｎ  Ｄｕｐｌｅｘｉｎｇ」と題する米国仮特許出願第６２／１０９，２０６号の優先権を主張する。
【０００２】
[0002]以下は、一般にワイヤレス通信に関し、より詳細には時分割複信（ＴＤＤ）キャリア構成での低レイテンシ（ＬＬ：low latency）に関する。
【背景技術】
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することにより、複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（たとえば、ロングタームエボリューション（ＬＴＥ（登録商標））システム）がある。
【０００４】
[0004]例として、ワイヤレス多元接続通信システムは、場合によってはユーザ機器（ＵＥ）として知られ得る、複数の通信デバイスのための通信を各々が同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で通信デバイスと通信し得る。
【０００５】
[0005]ワイヤレス通信システムは、２つのデバイス間の送信の信頼性とロバストネスとを高めるためにフィードバック方式を実装し得る。たとえば、受信デバイスは送信デバイスから信号を受信し、受信された信号の状態に関する情報（たとえば、肯定応答／否定応答（ＡＣＫ／ＮＡＣＫ））を送信デバイスに送り返し得る。送信デバイスは後続の送信のコンテンツを決定するためにフィードバック情報を使用し得、たとえば、送信デバイスは、誤りを伴って受信デバイスに到着した信号を再送し得、それはＮＡＣＫを受信する。送信デバイスは、情報を送信または再送信する前に、ＡＣＫ／ＮＡＣＫフィードバックを受信するまで待機し得る。より長い送信時間間隔（ＴＴＩ：transmission time interval）構造は、より短いＴＴＩ構造を有するシステムにおいて実現され得るよりも送信または再送信の間により高いレイテンシを生じ得る。音声呼、ストリーミングメディア、またはゲーミングなど、いくつかの適用例では、レイテンシはシステム性能を低下させ、ユーザ・エクスペリエンス（user experience）に悪影響を及ぼし得る。
【発明の概要】
【０００６】
[0006]時分割複信（ＴＤＤ）キャリア構成での低レイテンシ（ＬＬ）をサポートするシステム、方法、および装置について説明する。１つまたは複数の時分割複信（ＴＤＤ）構成されたキャリア（time-division duplexing (TDD) configured carriers）を利用するワイヤレスシステムが、（たとえば、サブフレームレベルおよびシンボルレベルで）デュアル送信時間間隔（ＴＴＩ）構造を採用し得る。シンボルレベルＴＴＩはＬＬ  ＴＴＩと呼ばれることがあり、ＬＬサブフレーム（たとえば、複数のＬＬ  ＴＴＩに分割されたサブフレーム）内に編成され得る。したがって、一方向における送信のためにスケジュールされたサブフレームは、アップリンク（ＵＬ）送信とダウンリンク（ＤＬ）送信の両方のためにスケジュールされた複数のＬＬシンボル（たとえば、シンボルレベルＴＴＩ）を含み得、このタイプのサブフレームはＬＬサブフレームと呼ばれることがある。
【０００７】
[0007]ＬＬサブフレームは、ユーザ機器（ＵＥ）が受信モードから送信モードに（またはその逆に）遷移することを可能にするために、反対の方向をもつ隣接するＬＬシンボル間にスケジュールされ得る、ガード期間を含み得る。場合によっては、ガード期間は、（たとえば、シンボル期間の間持続する各ガード期間の代わりに）２つのガード期間の和が合計で１つのシンボル期間になるように、断片のＬＬシンボル長であり得る。ＬＬサブフレームは、ＬＬ動作をサポートしない受信デバイスに対して透過的であり得る。たとえば、受信デバイスは、サブフレームが、サブフレームのスケジューリング情報によって示されるのとは反対の方向にＬＬシンボルを含むことを知らないことがある。ワイヤレスシステムは、シングルキャリア方式においてまたはキャリアアグリゲーション（ＣＡ）方式においてＬＬサブフレームとＬＬシンボルとを使用し得る。ＣＡアグリゲーション方式では、ワイヤレスシステムは、異なるコンポーネントキャリア（ＣＣ）上で同じ方向でスケジュールされたシンボルが整列される（aligned）ように半二重化を使用し得る。
【０００８】
[0008]ワイヤレス通信の方法について説明する。本方法は、ＴＤＤキャリアの第１のＴＴＩを識別することと、第１のＴＴＩが第１のＴＴＩ持続時間を有し、第１の方向における送信のために構成され、第１のＴＴＩ内の第２のＴＴＩを識別することと、第２のＴＴＩが第２のＴＴＩ持続時間を有し、第１の方向から逆方向である第２の方向における送信のために構成され、第２のＴＴＩ中に第２の方向において通信することとを含み得る。
【０００９】
[0009]ワイヤレス通信のための装置について説明する。本装置は、ＴＤＤキャリアの第１のＴＴＩを識別するための手段と、第１のＴＴＩが第１のＴＴＩ持続時間を有し、第１の方向における送信のために構成され、第１のＴＴＩ内の第２のＴＴＩを識別するための手段と、第２のＴＴＩが第２のＴＴＩ持続時間を有し、第１の方向から逆方向である第２の方向における送信のために構成され、第２のＴＴＩ中に第２の方向において通信するための手段とを含み得る。
【００１０】
[0010]ワイヤレス通信のためのさらなる装置について説明する。本装置は、プロセッサと、プロセッサと電子通信しているメモリと、メモリに記憶された命令とを含み得る。命令は、ＴＤＤキャリアの第１のＴＴＩを識別することと、第１のＴＴＩが第１のＴＴＩ持続時間を有し、第１の方向における送信のために構成され、第１のＴＴＩ内の第２のＴＴＩを識別することと、第２のＴＴＩが第２のＴＴＩ持続時間を有し、第１の方向から逆方向である第２の方向における送信のために構成され、第２のＴＴＩ中に第２の方向において通信することとを行うようにプロセッサによって実行可能であり得る。
【００１１】
[0011]ワイヤレス通信のためのコードを記憶する非一時的コンピュータ可読媒体について説明する。コードは、ＴＤＤキャリアの第１のＴＴＩを識別することと、第１のＴＴＩが第１のＴＴＩ持続時間を有し、第１の方向における送信のために構成され、第１のＴＴＩ内の第２のＴＴＩを識別することと、第２のＴＴＩが第２のＴＴＩ持続時間を有し、第１の方向から逆方向である第２の方向における送信のために構成され、第２のＴＴＩ中に第２の方向において通信することとを行うように実行可能な命令を含み得る。
【００１２】
[0012]本明細書で説明する方法、装置、または非一時的コンピュータ可読媒体のいくつかの例は、第１のＴＴＩ内の第３のＴＴＩを識別するためのプロセス、特徴、手段、または命令をさらに含み得、第３のＴＴＩは第２のＴＴＩ持続時間を有し、第１の方向における送信のために構成される。追加または代替として、いくつかの例は、第２のＴＴＩと第３のＴＴＩとの間の第１のガード期間を識別するためのプロセス、特徴、手段、または命令を含み得、ここで、第１のガード期間は第１のＴＴＩ内にある。
【００１３】
[0013]本明細書で説明する方法、装置、または非一時的コンピュータ可読媒体のいくつかの例は、第１のＴＴＩ内の第２のガード期間を識別するためのプロセス、特徴、手段、または命令をさらに含み得、第１のガード期間の持続時間と第２のガード期間の持続時間との和は第２のＴＴＩ持続時間に等しい。追加または代替として、いくつかの例では、第１のＴＴＩを識別することは、第１のＴＴＩを示す制御シグナリングを受信することを含む。
【００１４】
[0014]本明細書で説明する方法、装置、または非一時的コンピュータ可読媒体のいくつかの例では、第２のＴＴＩを識別することは、少なくとも１つのＴＴＩを示す制御シグナリングを受信することを含む。追加または代替として、いくつかの例では、第１のＴＴＩ持続時間はＬＴＥサブフレームであり得、第２のＴＴＩ持続時間は１つまたは複数のＬＴＥシンボル期間であり得る。
【００１５】
[0015]本明細書で説明する方法、装置、または非一時的コンピュータ可読媒体のいくつかの例は、第１のＴＴＩ持続時間を有し、ＤＬ部分とＵＬ部分とガード期間とを有する特殊サブフレームを識別するためのプロセス、特徴、手段、または命令をさらに含み得、ここで、ガード期間は、第１または第２の方向における送信のために構成された１つまたは複数のＴＴＩを含み得る。追加または代替として、いくつかの例では、第１の方向はＵＬ方向であり、第２の方向はＤＬ方向であり、通信することは、第２のＴＴＩ中に信号を受信することを含む。
【００１６】
[0016]本明細書で説明する方法、装置、または非一時的コンピュータ可読媒体のいくつかの例では、第１の方向はＤＬ方向であり、第２の方向はＵＬ方向であり、通信することは、第２のＴＴＩ中に信号を送信することを含む。追加または代替として、いくつかの例では、第２のＴＴＩを識別することは、第１のＴＴＩがシステム情報ブロック１（ＳＩＢ１）送信のためにスケジュールされないと決定することを含む。
【００１７】
[0017]本明細書で説明する方法、装置、または非一時的コンピュータ可読媒体のいくつかの例では、第２のＴＴＩを識別することは、第２のＴＴＩがセル固有基準信号（ＣＲＳ）送信のためにスケジュールされないと決定することを含む。追加または代替として、いくつかの例では、第２のＴＴＩを識別することは、第２のＴＴＩが、物理ブロードキャストチャネル、同期チャネル、または共通探索空間のうちの少なくとも１つのために予約されたリソースブロックにおいてスケジュールされないと決定することを含む。
【００１８】
[0018]本明細書で説明する方法、装置、または非一時的コンピュータ可読媒体のいくつかの例では、ＴＤＤキャリアは、キャリアアグリゲーション（ＣＡ）動作のために構成された複数のＣＣのうちのＣＣであり、複数のＣＣは第２のＣＣを備える。追加または代替として、いくつかの例では、第２のＣＣはＴＤＤ  ＣＣであり、第１のＴＴＩと第２のＴＴＩは両方とも半二重動作のために構成される。
【００１９】
[0019]本明細書で説明する方法、装置、または非一時的コンピュータ可読媒体のいくつかの例は、第１のＴＴＩ内のガード期間中に通信するのを控えることと、ガード期間と整列された第２のＴＴＩ持続時間を有する第３のＴＴＩ中に第２のＴＤＤ  ＣＣ上で第１の方向において通信することとのためのプロセス、特徴、手段、または命令をさらに含み得る。追加または代替として、いくつかの例では、第２のＣＣはＴＤＤ  ＣＣであり、ＴＤＤキャリアと第２のＣＣとは、複数のＴＴＩがフレームの実質的にあらゆるサブフレームにおける第１の方向における送信のために構成され得、少なくとも１つのＴＴＩが第２の方向における送信のために構成されるように、フレームのための相補的送信構成（complementary transmission configuration）を有する。
【００２０】
[0020]本明細書で説明する方法、装置、または非一時的コンピュータ可読媒体のいくつかの例では、相補的送信構成はＴＤＤキャリアと第２のＣＣとのためのオフセットフレーム構造を含む。追加または代替として、いくつかの例では、ＣＡ動作のために構成された複数のＣＣはまた、第１または第２の方向のうちの１つにおける送信のためにそれぞれ構成された第１のＴＴＩ持続時間のＴＴＩをもつフレームを有する第３のＣＣを含む。
【００２１】
[0021]本明細書で説明する方法、装置、または非一時的コンピュータ可読媒体のいくつかの例では、第２のＴＴＩは、第１の時間期間中のＴＤＤキャリア上の第３の方向における送信のために構成され、第２の時間期間中の第３の方向における第２のＣＣ上の送信のために構成される。
【００２２】
[0022]開示される概念および具体例は、本開示の同じ目的を実行するために他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００２３】
[0023]本開示の性質および利点のさらなる理解は、以下の図面を参照することによって実現され得る。添付の図面では、同様の構成要素または特徴は、同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００２４】
【図１】[0024]本開示の様々な態様による、ＴＤＤにおいてＬＬをサポートするワイヤレス通信システムの一例を示す図。
【図２】[0025]本開示の様々な態様による、ＴＤＤにおいてＬＬをサポートするワイヤレス通信システムの一例を示す図。
【図３Ａ】[0026]本開示の様々な態様によるＴＤＤにおけるＬＬのためのフレーム構成の拡大図の一例を示す図。
【図３Ｂ】[0027]本開示の様々な態様によるＴＤＤにおけるＬＬのためのキャリアアグリゲーション（ＣＡ）フレーム構成の一例を示す図。
【図３Ｃ】本開示の様々な態様によるＴＤＤにおけるＬＬのためのキャリアアグリゲーション（ＣＡ）フレーム構成の一例を示す図。
【図３Ｄ】本開示の様々な態様によるＴＤＤにおけるＬＬのためのキャリアアグリゲーション（ＣＡ）フレーム構成の一例を示す図。
【図３Ｅ】本開示の様々な態様によるＴＤＤにおけるＬＬのためのキャリアアグリゲーション（ＣＡ）フレーム構成の一例を示す図。
【図４】[0028]本開示の様々な態様による、ＴＤＤにおいてＬＬをサポートするプロセスフローの一例を示す図。
【図５】[0029]本開示の様々な態様による、ＴＤＤにおいてＬＬをサポートするワイヤレスデバイスのブロック図。
【図６】[0030]本開示の様々な態様による、ＴＤＤにおいてＬＬをサポートするワイヤレスデバイスのブロック図。
【図７】[0031]本開示の様々な態様による、ＴＤＤにおいてＬＬをサポートするワイヤレスデバイスのモジュールのブロック図。
【図８】[0032]本開示の様々な態様による、ＴＤＤにおいてＬＬをサポートするデバイスを含むシステムのブロック図。
【図９】[0033]本開示の様々な態様による、ＴＤＤにおいてＬＬをサポートする基地局を含むシステムのブロック図。
【図１０】[0034]本開示の様々な態様によるＴＤＤにおけるＬＬのための方法を示す図。
【図１１】[0035]本開示の様々な態様によるＴＤＤにおけるＬＬのための方法を示す図。
【図１２】[0036]本開示の様々な態様によるＴＤＤにおけるＬＬのための方法を示す図。
【図１３】[0037]本開示の様々な態様によるＴＤＤにおけるＬＬのための方法を示す図。
【図１４】[0038]本開示の様々な態様によるＴＤＤにおけるＬＬのための方法を示す図。
【図１５】[0039]本開示の様々な態様によるＴＤＤにおけるＬＬのための方法を示す図。
【詳細な説明】
【００２５】
[0040]周波数分割複信（ＦＤＤ）構成では、ペアになったダウンリンク（ＤＬ）および（ＵＬ）スペクトルがあり得る。この設定では、ＤＬリンクまたはＵＬリンクのいずれかが利用可能であるとすれば、低レイテンシ（ＬＬ）動作が容易にサポートされ得る。しかしながら、時分割複信（ＴＤＤ）構造は、ＴＤＤキャリアが、単一の方向（たとえば、ＵＬまたはＤＬ）における送信をサポートする傾向があるサブフレームを含んでいる場合、ＬＬサービスの中断の影響を受けやすくなり得る。本開示では、様々なＴＤＤ構成を採用するシステムにおいてＬＬを達成するための様々なツールと技法とについて説明する。
【００２６】
[0041]ワイヤレスシステムは、ＴＤＤ構成されたキャリア上でまたは複数のＴＤＤキャリア上でデュアル送信時間間隔（ＴＴＩ）構造を採用し得る。シンボルレベルＴＴＩはＬＬ  ＴＴＩと呼ばれることがあり、ＴＤＤフレームの特定のサブフレーム内に編成され得る。これらのサブフレームはＬＬサブフレームと呼ばれることがあり、一方向（たとえば、ＵＬまたはＤＬ）における送信のためにスケジュールされ得、それらは、ＵＬ送信とＤＬ送信の両方のためにスケジュールされた複数のＬＬシンボルを含み得る。反対の送信方向（opposite directions of transmission）を有するＬＬサブフレーム内の隣接するＬＬシンボル間にガード期間がスケジュールされ得る。これらのガード期間は、ＵＥが受信モードから送信モードに（またはその逆に）遷移することを可能にし得る。ＬＬサブフレームは、ＬＬ動作をサポートしない受信デバイスに対して透過的であり得、したがって、いくつかのデバイスは、サブフレームがそのサブフレームのスケジューリング情報によって示されるのとは反対の方向におけるＬＬシンボルを含むという認識とともにシステム中で動作し得る。
【００２７】
[0042]ＬＬサブフレームはＤＬ  ＬＬシンボルとＵＬ  ＬＬシンボルの両方を含んでいることがあるので、ＤＬサブフレームまたはＵＬサブフレームのいずれかの内で同じデバイスによる送信および受信が可能である。その上、そのようなＬＬシンボルの数秘学（numerology）は非ＬＬシステム動作のための数秘学に合致し得るので、ＬＬ対応ＵＥ（LL-capable UEs）はＬＬシンボルを利用することができるが、非ＬＬ  ＵＥはそのシンボルを容易に無視することができる。本明細書で説明するように、システムは、実装の労力を最小限に抑え後方互換性を助長するために、ＬＴＥ数秘学（たとえば、タイミング、ＴＴＩ構造など）を採用し得、活用し得る。たとえば、いくつかのシステムでは、ＬＬをサポートすることは、１５ｋＨｚトーン間隔と７１μｓのＣＰ持続時間とを含み得る。この手法は、このようにして、ＬＬ  ＵＥと非ＬＬまたはレガシーＵＥ（たとえば、ＬＴＥ規格の前のバージョンに従って動作するＵＥ）の両方の統合を提供し得る。
【００２８】
[0043]上述のように、および本明細書でさらに説明するように、ＬＬ  ＴＴＩ構造はワイヤレスシステムにおいてレイテンシを著しく低減し得る。たとえば、ＬＬ  ＴＴＩ構造なしのＬＴＥシステムと比較して、レイテンシは約４ｍｓから約３００μｓに低減され得る。これは、レイテンシの１桁よりも大きい低減を表す。各ＬＬ期間のＴＴＩは単一のシンボル期間であり得るので、（それぞれ拡張ＣＰおよびノーマルＣＰについて）１２ｘまたは１４ｘの潜在的レイテンシ低減が実現され得る。場合によっては、最高８つのＨＡＲＱプロセスが適応され得る。他の場合には、８つよりも多くのＨＡＲＱプロセスがサポートされ得る。
【００２９】
[0044]単一のコンポーネントキャリアの場合、非ＬＬ  ＵＥは固定の所定のＴＤＤ構成を選択することができるが、ＬＬをサポートするＵＥは実際のＬＬ構成を決定することができる。ＬＬ構成は、実際のＬＬスケジューリングに従ってシンボルごとに決定され得る。第１のＴＤＤ構成は、たとえば、システム情報ブロック１（ＳＩＢ１）中で示され得るか、またはその構成は拡張干渉緩和およびトラフィック適応（ｅＩＭＴＡ：Enhanced Interference Mitigation and Traffic Adaptation）動作の一部としてダウンリンク制御情報（ＤＣＩ）において示され得る。いくつかの例では、ＤＬサブフレームはＤＬ  ＬＬのために使用され得るが、ＵＬサブフレームはＵＬ  ＬＬのために使用され得る。さらに、場合によっては、いくつかのＤＬサブフレームは、ＵＬ  ＬＬのためにも動的に使用され得る。さらに、ＵＬサブフレームのいくつかはＬＬサービスのために動的に使用され得る。
【００３０】
[0045]ＵＥは、明示的指示によって（たとえば、制御チャネルを介して）または暗黙的決定によって（たとえば、基地局によるスケジューリング決定に基づいて、サブフレーム中の他の情報に基づいてなど）サブフレームにおいてＤＬまたはＵＬ  ＬＬのために指定される１つまたは複数のシンボルを決定し得る。
【００３１】
[0046]場合によっては、ＤＬサブフレームのいくつかのシンボルにおいてＵＬ  ＬＬを回避することが好ましいことがある。たとえば、測定、チャネル／干渉推定、および他の機能のためにいくつかの非ＬＬ  ＵＥによっても使用され得るＣＲＳシンボルがＬＬサブフレームで送信され得る。したがって、ＵＬ  ＬＬ動作からＣＲＳシンボルを含むＴＴＩを除外することが適切であり得る。とはいえ、ＬＬ  ＵＬは、ＣＲＳシンボル中の非ＣＲＳ  ＲＥにおいて有効にされ得る。場合によっては、いくつかのＤＬサブフレームにおいてＵＬ  ＬＬを回避することが好ましいことがある。たとえばサブフレーム｛５／２５／４５／．．／（５＋ｎ・２０）｝がＳＩＢ１送信のために使用され得、いくつかの例は、これらのサブフレームにおいてＵＬ  ＬＬを可能にしないことがある。代替的に、ＳＩＢ１を搬送するＲＢがＵＬ  ＬＬから除外され得る。同様に、いくつかのＤＬサブフレームのいくつかのＲＢについてＵＬ  ＬＬを回避することが好ましいことがある。たとえば、いくつかのシンボル中の中心の６つのＲＢは、１次同期信号（ＰＳＳ）、２次同期信号（ＳＳＳ）、または物理ブロードキャストチャネル（ＰＢＣＨ）のために使用され得る。シンボル中で、いくつかのガードバンドとともに、これらのＲＢは、ＵＬ  ＬＬから除外され得る。しかしながら、ＬＬ  ＵＥは、そのようなサブフレームまたはシンボルを認識し得、それに応じて、指定されたＤＬまたはＵＬ  ＬＬシンボルに関するかまたはそれを示す情報を推論し得る。
【００３２】
[0047]帯域内（intra-band）キャリアアグリゲーション（ＣＡ）の場合、複数のＴＤＤ  ＣＣ上でＬＬ動作を提供し得る、異なるサブフレーム方向をもつ２つ以上のＣＣを扱うために、ＣＣ間の半二重動作が活用され得る。半二重動作は、任意の時間間隔において送信することまたは受信することのいずれかを伴い得る。半二重動作はシンボルごとに行われ得る。たとえば、構成されたＣＣは、１つのシンボルのためにＤＬ  ＬＬであり得、別のシンボルのためにＵＬ  ＬＬであり得る。このタイプの構成は、透過的な様式で後方互換性があり得る。
【００３３】
[0048]帯域間（inter-band）ＣＡ（またはデュアル接続性の一部としてのグループ中のＣＡ）では、相補的ＤＬ／ＵＬ構成を通してよりフレキシブルな管理が可能であり得る。特に、ＣＡ／ＤＣ中の２つ以上のＣＣは、１つまたは複数のＤＬヘビーＣＣ（DL-heavy CCs）ではＤＬ  ＬＬが有効にされるが、より多くのＵＬサブフレームをもつＣＣではＵＬ  ＬＬが有効にされるように、異なる構成を有することができる。本明細書で説明するように、特殊サブフレームはＵＬ  ＬＬのためにＧＰとＵｐＰＴＳの両方を使用し得る。ＬＬは、同様に他のＣＣでも有効にされ得る。
【００３４】
[0049]異なるＴＤＤ  ＤＬ／ＵＬ構成により、同時送信および受信からのＣＣ間干渉を最小限に抑えるために２つ以上のＣＣが異なる周波数帯域中に配置され得る。たとえば、１つの周波数帯域では、ＤＬ  ＬＬが有効にされ得、別の周波数帯域ではＵＬ  ＬＬが有効にされ得る。
【００３５】
[0050]場合によっては、本質的に連続するＬＬを保証するために異なるＣＣにおいて相補的フレームオフセットを設定することが可能であり得る。たとえば、２つのＣＣ構成では、オフセットは、（個々のＣＣがＵＬシンボルとＤＬシンボルとの間でまさに切り替わるとき）２つのＣＣが各サブフレーム中にそれら２つの間でＤＬ  ＬＬシンボルとＵＬ  ＬＬシンボルの両方を搬送するように同期され得る。いくつかのＣＣのためのＤＬのみまたはＵＬのみの構成ならびにサブフレーム構成への動的変更を含む、追加のＴＤＤ構成も可能である。
【００３６】
[0051]以下の説明は例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々な手順または構成要素を省略、置換、または追加し得る。たとえば、説明する方法は、説明する順序とは異なる順序で実施され得、様々なステップが追加、省略、または組み合わされ得る。また、いくつかの例に関して説明する特徴は、他の例において組み合わされ得る。
【００３７】
[0052]図１は、本開示の様々な態様による、ワイヤレス通信システム１００の一例を示す。ワイヤレス通信システム１００は、基地局１０５と、ユーザ機器（ＵＥ）１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを提供し得る。基地局１０５は、バックホールリンク１３２（たとえば、Ｓ１など）を通じてコアネットワーク１３０とインターフェースする。基地局１０５は、ＵＥ１１５との通信のための無線構成およびスケジューリングを実施し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して、直接的または間接的のいずれかで（たとえば、コアネットワーク１３０を通して）、互いに通信し得る。
【００３８】
[0053]基地局１０５は、１つまたは複数の基地局アンテナを介してＵＥ１１５とワイヤレス通信し得る。基地局１０５の各々は、それぞれの地理的カバレージエリア１１０に対して通信カバレージを提供し得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局またはスモールセル基地局）を含み得る。異なる技術のための重複する地理的カバレージエリア１１０があり得る。
【００３９】
[0054]いくつかの例では、ワイヤレス通信システム１００は、ロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を記述するために使用され得る。ワイヤレス通信システム１００は、異なるタイプのｅＮＢが様々な地理的領域に対してカバレージを提供する異機種ＬＴＥ／ＬＴＥ−Ａネットワークであり得る。たとえば、各ｅＮＢまたは基地局１０５は、マクロセル、スモールセル、または他のタイプのセルに対して通信カバレージを提供し得る。「セル」という用語は、状況に応じて、基地局、基地局に関連付けられたキャリアもしくはコンポーネントキャリア、またはキャリアもしくは基地局のカバレージエリア（たとえば、セクタなど）を記述するために使用され得る３ＧＰＰ（登録商標）用語である。
【００４０】
[0055]マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、同じまたは異なる（たとえば、認可、無認可などの）周波数帯域内でマクロセルとして動作し得る低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥ１１５による無制限アクセスを可能にし得る。フェムトセルも、小さい地理的エリア（たとえば、自宅）をカバーし得、フェムトセルとの関連付けを有するＵＥ１１５（たとえば、限定加入者グループ（ＣＳＧ）内のＵＥ１１５、自宅内のユーザのためのＵＥ１１５など）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。
【００４１】
[0056]ワイヤレス通信システム１００は同期動作または非同期動作をサポートし得る。同期動作の場合、基地局１０５は同様のフレームタイミングを有し得、異なる基地局１０５からの送信は時間的にほぼ整列され（aligned）得る。非同期動作の場合、基地局１０５は異なるフレームタイミングを有し得、異なる基地局１０５からの送信は時間的に整列されないことがある。本明細書で説明する技法は、同期動作または非同期動作のいずれかに使用され得る。
【００４２】
[0057]様々な開示する例のうちのいくつかに適応し得る通信ネットワークは、階層化プロトコルスタックに従って動作するパケットベースネットワークであり得、ユーザプレーン中のデータはＩＰに基づき得る。無線リンク制御（ＲＬＣ）レイヤが、論理チャネルを介して通信するためにパケットセグメンテーションおよびリアセンブリを実施し得る。媒体アクセス制御（ＭＡＣ）レイヤが、優先度処理と、トランスポートチャネルへの論理チャネルの多重化とを実施し得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ）プロトコルレイヤが、ＵＥ１１５と基地局１０５との間のＲＲＣ接続の確立と構成と維持とを行い得る。ＲＲＣシグナリングは、たとえば、１つまたは複数のＴＤＤキャリアを介した通信のために様々なＵＥ１１５を構成するために使用され得る。ＲＲＣプロトコルレイヤはまた、ユーザプレーンデータのための無線ベアラのコアネットワーク１３０サポートに使用され得る。物理（ＰＨＹ）レイヤにおいて、トランスポートチャネルは物理チャネルにマッピングされ得る。
【００４３】
[0058]ＵＥ１１５は、ワイヤレス通信システム１００全体にわたって分散され得、各ＵＥ１１５は固定またはモバイルであり得る。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含み得るか、あるいは当業者によってそのように呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。いくつかのＵＥ１１５は、ＬＬ  ＴＴＩを介して認識および通信することが可能であり得るＬＬ  ＵＥ１１５であり得る。
【００４４】
[0059]ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、本明細書で説明する様々な無線技術に従って変調された複数のサブキャリアからなる信号（たとえば、異なる周波数の波形信号）であり得る。各変調された信号は、異なるサブキャリア上で送られ得、制御情報（たとえば、基準信号、制御チャネルなど）、オーバーヘッド情報、ユーザデータなどを搬送し得る。通信リンク１２５は、以下で説明するように、（たとえば、対スペクトルリソースを使用する）周波数分割複信（ＦＤＤ）または（たとえば、不対スペクトルリソースを使用する）時分割複信（ＴＤＤ）動作を使用して、双方向通信を送信し得る。いくつかの通信リンク１２５は、ＬＬサブフレームで構成された１つまたは複数のＴＤＤキャリアを含み得る。
【００４５】
[0060]ＬＴＥシステムは、ＤＬ上ではＯＦＤＭＡを利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ）個の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅に対して、１５キロヘルツ（ＫＨｚ）のサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つ、または１６個のサブバンドがあり得る。
【００４６】
[0061]ＬＴＥにおける時間間隔は、基本時間単位（たとえば、サンプリング周期、Ｔｓ＝１／３０，７２０，０００秒）の倍数単位で表され得る。時間リソースは、０から１０２３にわたるＳＦＮによって識別され得る１０ｍｓの長さの無線フレーム（Ｔｆ＝３０７２００・Ｔｓ）に従って編成され得る。各フレームは、０から９までの番号を付けられた１０個の１ｍｓサブフレームを含み得る。サブフレームは、さらに２つの０．５ｍｓスロットに分割され得、その各々は、（各シンボルにプリペンドされた（prepended）サイクリックプレフィックスの長さに応じて）６つまたは７つの変調シンボル期間を含んでいる。サイクリックプレフィックスを除いて、各シンボルは２０４８個のサンプル期間を含んでいる。リソース要素は、１つのシンボル期間と、１つのサブキャリアとからなり得る（たとえば、１５ＫＨｚ周波数範囲）。リソースブロックは、周波数領域中に１２個の連続サブキャリアを含んでおり、各ＯＦＤＭシンボル中のノーマルサイクリックプレフィックスについて、時間領域中に７つの連続ＯＦＤＭシンボル（１スロット）、または８４個のリソース要素を含んでいることがある。各リソース要素によって搬送されるビット数は、変調方式（各シンボル期間中に選択され得るシンボルの構成）に依存し得る。したがって、ＵＥが受信するリソースブロックが多いほど、また変調方式が高いほど、ＵＥのデータレートは高くなり得る。場合によっては、サブフレームは、送信時間間隔（ＴＴＩ）としても知られる、最も小さいスケジューリングユニットであり得る。他の場合には、いくつかのＴＴＩは、サブフレームよりも短いことがあるか、または（たとえば、短いＴＴＩバーストにおいて、または短いＴＴＩを使用する選択されたコンポーネントキャリアにおいて）動的に選択され得る。たとえば、いくつかのサブフレームは、ＬＬ  ＵＥ１１５のためにＵＬ  ＬＬまたはＤＬ  ＬＬに対してスケジュールされた、ＬＬ  ＴＴＩを含むＬＬサブフレームであり得る。
【００４７】
[0062]ワイヤレス通信システム１００は、複数のセルまたはキャリア上での動作、キャリアアグリゲーション（ＣＡ）またはマルチキャリア動作と呼ばれることがある機能をサポートし得る。キャリアは、ＣＣ、レイヤ、チャネルなどと呼ばれることもある。「コンポーネントキャリア」という用語は、キャリアアグリゲーション（ＣＡ）動作においてＵＥによって利用される複数のキャリアの各々を指すことがあり、システム帯域幅の他の部分とは別個であり得る。たとえば、コンポーネントキャリアは、独立して、または他のコンポーネントキャリアと組み合わせて利用されることが可能である、比較的狭い帯域幅のキャリアであり得る。各コンポーネントキャリアは、ＬＴＥ規格のリリース８またはリリース９に基づく分離したキャリア（isolated carrier）と同じ能力を提供し得る。複数のコンポーネントキャリアは、いくつかのＵＥ１１５に、より大きい帯域幅と、たとえば、より高いデータレートとを提供するために、アグリゲートされるか、または同時に利用され得る。したがって、個別のコンポーネントキャリアは、レガシーＵＥ１１５（たとえば、ＬＴＥリリース８またはリリース９を実装するＵＥ１１５）との後方互換性があり得るが、他のＵＥ１１５（たとえば、リリース８／９後のＬＴＥバージョンを実装するＵＥ１１５）は、マルチキャリアモードにおいて複数のコンポーネントキャリアを用いて構成され得る。
【００４８】
[0063]ＤＬに使用されるキャリアはＤＬ  ＣＣと呼ばれることがあり、ＵＬに使用されるキャリアはＵＬ  ＣＣと呼ばれることがある。ＵＥ１１５は、キャリアアグリゲーションのために、複数のＤＬ  ＣＣと１つまたは複数のＵＬ  ＣＣとで構成され得る。各キャリアは、制御情報（たとえば、基準信号、制御チャネルなど）、オーバーヘッド情報、データなどを送信するために使用され得る。ＵＥ１１５は、複数のキャリアを利用して単一の基地局１０５と通信し得、また、異なるキャリア上で同時に複数の基地局と通信し得る。基地局１０５の各セルは、ＵＬコンポーネントキャリア（ＣＣ）とＤＬ  ＣＣとを含み得る。基地局１０５用の各サービングセルのカバレージエリア１１０は異なり得る（たとえば、異なる周波数帯域上のＣＣは、異なる経路損失に遭遇し得る）。いくつかの例では、あるキャリアは、１次セル（ＰＣｅｌｌ）によってサービスされ得るＵＥ１１５のための、１次キャリアまたは１次コンポーネントキャリア（ＰＣＣ）として指定される。１次セルは、ＵＥごとに上位レイヤ（たとえば、無線リソース制御（ＲＲＣ）など）によって半静的に構成され得る。あるアップリンク制御情報（ＵＣＩ）、たとえば、物理アップリンク制御チャネル（ＰＵＣＣＨ）上で送信されるＡＣＫ／ＮＡＣＫ、チャネル品質インジケータ（ＣＱＩ）、およびスケジューリング情報は、１次セルによって搬送される。追加のキャリアは、２次セル（ＳＣｅｌｌ）によってサービスされ得る、２次キャリア、または２次コンポーネントキャリア（ＳＣＣ）として指定され得る。２次セルは、同様に、ＵＥごとに半静的に構成され得る。場合によっては、２次セルは、１次セルと同じ制御情報を含まないか、またはそれを送信するように構成されないことがある。
【００４９】
[0064]いくつかの場合には、ＵＥ１１５は、デュアル接続性動作において非理想バックホール（non-ideal backhaul）１３４によって接続された２つ以上の基地局１０５からのセルによってサービスされ得る。たとえば、サービング基地局１０５間の接続は、正確なタイミング調整を促進するのに十分でないことがある。したがって、いくつかの場合には、ＵＥ１１５をサービスするセルは、複数のタイミング調整グループ（ＴＡＧ：timing adjustment group）に分割され得る。各ＴＡＧは、ＵＥ１１５が、異なるＵＬキャリアに対して異なるようにＵＬ送信を同期させ得るように、異なるタイミングオフセットに関連付けられ得る。キャリアアグリゲーション、デュアル接続性の両方において、ＵＥ１１５をサービスするＣＣは、以下で説明するように相補的構成を有し得るＴＤＤコンポーネントキャリアであり得る。
【００５０】
[0065]ワイヤレスネットワークにアクセスすることを試みるＵＥ１１５は、基地局１０５からの１次同期信号（ＰＳＳ）を検出することによって初期セル探索を実施し得る。ＰＳＳは、スロットタイミングの同期を可能にし得、物理レイヤ識別値を示し得る。ＵＥ１１５は、次いで、２次同期信号（ＳＳＳ）を受信し得る。ＳＳＳは、無線フレーム同期を可能にし得、セルを識別するために物理レイヤ識別値と組み合わされ得る、セル識別値を提供し得る。ＳＳＳはまた、複信モード（duplexing mode）およびサイクリックプレフィックス長の検出を可能にし得る。ＴＤＤシステムなど、いくつかのシステムは、ＳＳＳを送信するが、ＰＳＳを送信しないことがある。ＰＳＳとＳＳＳの両方は、それぞれ、キャリアの中心の６２個と７２個のサブキャリア中にあり得る。ＰＳＳとＳＳＳは、ＬＬ  ＵＥ１１５と非ＬＬ  ＵＥ１１５の両方に有用であり得る。システム１００は、したがって、ＰＳＳ送信とＳＳＳ送信とを中断させるのを回避するようにＬＬ動作をスケジュールし得る。
【００５１】
[0066]ＰＳＳとＳＳＳとを受信した後に、ＵＥ１１５は、物理ブロードキャストチャネル（ＰＢＣＨ）中で送信され得る、マスタ情報ブロック（ＭＩＢ）を受信し得る。ＭＩＢは、システム帯域幅情報と、システムフレーム番号（ＳＦＮ）と、物理ＨＡＲＱインジケータチャネル（ＰＨＩＣＨ）構成とを含んでいることがある。ＭＩＢを復号した後に、ＵＥ１１５は、１つまたは複数のシステム情報ブロック（ＳＩＢ）を受信し得る。たとえば、ＳＩＢ１は、セルアクセスパラメータと他のＳＩＢのためのスケジューリング情報とを含んでいることがある。ＳＩＢ１を復号することは、ＵＥ１１５がＳＩＢ２を受信することを可能にし得る。ＳＩＢ２は、ランダムアクセスチャネル（ＲＡＣＨ）プロシージャと、ページングと、物理アップリンク制御チャネル（ＰＵＣＣＨ）と、物理アップリンク共有チャネル（ＰＵＳＣＨ）と、電力制御と、ＳＲＳと、セル禁止（cell barring）とに関係するＲＲＣ構成情報を含んでいることがある。
【００５２】
[0067]初期セル同期を完了した後に、ＵＥ１１５は、ネットワークにアクセスするより前にＭＩＢと、ＳＩＢ１と、ＳＩＢ２とを復号し得る。ＭＩＢは、ＰＢＣＨ上で送信され得、各無線フレームの第１のサブフレームの第２のスロットの最初の４つの直交周波数分割多元接続（ＯＦＤＭＡ）シンボルを利用し得る。それは、周波数領域中の中間の６つのリソースブロック（ＲＢ）（７２個のサブキャリア）を使用し得る。ＭＩＢは、ＲＢの期間中の（in term of RBs）ＤＬチャネル帯域幅、ＰＨＩＣＨ構成（持続時間およびリソース割当て）、ならびにＳＦＮを含む、ＵＥ初期アクセスのための情報のいくつかの重要な一部分を搬送する。ＭＩＢを受信した後に、ＵＥは、１つまたは複数のＳＩＢを受信し得る。異なるＳＩＢが、搬送されるシステム情報のタイプに従って定義され得る。新しいＳＩＢ１は、８つのフレームごと（ＳＦＮ  ｍｏｄ  ８＝０）の５番目のサブフレーム中で送信され、１つのフレーム（２０ｍｓ）おきに再ブロードキャストされ得る。ＳＩＢ１は、セル識別情報を含む、アクセス情報を含み得、それは、ＵＥが基地局１０５のセルにキャンプオンする（camp on）ことを許可されるかどうかを指示し得る。ＳＩＢ１はセル選択情報（または、セル選択パラメータ）をも含む。さらに、ＳＩＢ１は、他のＳＩＢのためのスケジューリング情報を含み得る。ＳＩＢ１などの、システム情報およびＰＢＣＨ中に含まれている情報は、ＬＬ  ＵＥ１１５と非ＬＬ  ＵＥ１１５の両方によって読み取られ、それらの両方に有用であり得る。したがって、システム１００は、そのような送信を中断させるのを回避するようにＬＬ動作をスケジュールし得る。
【００５３】
[0068]基地局は、ダウンリンク制御情報（ＤＣＩ）を搬送するために物理ダウンリンク制御チャネル（ＰＤＣＣＨ）などの制御チャネルを使用し得る。ＤＣＩは、９つの論理的に連続するリソース要素グループ（ＲＥＧ）からなり得る制御チャネル要素（ＣＣＥ）を使用して送信され得、ここで、各ＲＥＧは４つのリソース要素（ＲＥ）を含んでいる。ＤＣＩは、ＤＬスケジューリング割当て、ＵＬリソース許可、送信方式、ＵＬ電力制御、ＨＡＲＱ情報、変調およびコーディング方式（ＭＣＳ）、ならびに他の情報に関する情報を含む。いくつかの例では、ＤＣＩはＬＬスケジューリング情報をも含み得る。
【００５４】
[0069]ＰＤＣＣＨは、複数のユーザに関連するＤＣＩメッセージを搬送することができ、各ＵＥ１１５は、それを対象とするＤＣＩメッセージを復号し得る。たとえば、各ＵＥ１１５はセル無線ネットワーク一時識別（Ｃ−ＲＮＴＩ：cell radio network temporary identity）を割り当てられ得、各ＤＣＩにアタッチされたＣＲＣビットは、Ｃ−ＲＮＴＩに基づいてスクランブルされ得る。ユーザ機器における電力消費とオーバーヘッドとを低減するために、ＣＣＥロケーションの限られたセットが、特定のＵＥ１１５に関連するＤＣＩのために指定され得る。ＣＣＥは（たとえば、１つ、２つ、４つおよび８つのＣＣＥのグループに）グループ化され、ユーザ機器が関係するＤＣＩを発見し得るＣＣＥロケーションのセットが指定され得る。これらのＣＣＥは探索空間として知られることがある。この探索空間は、共通のＣＣＥ領域または探索空間、およびＵＥ固有（専用）のＣＣＥ領域または探索空間という、２つの領域に区分化され得る。共通のＣＣＥ領域は、基地局１０５によってサービスされるすべてのＵＥによって監視され、ページング情報、システム情報、ランダムアクセスプロシージャなどの情報を含み得る。ＰＤＣＣＨの共通のＣＣＥ領域は、ＬＬ  ＴＴＩのスケジューリングが相応に行われ得るように、ＬＬ  ＵＥ１１５と非ＬＬ  ＵＥ１１５の両方によって送信され得、利用され得る。
【００５５】
[0070]上述のように、ＨＡＲＱは、データが通信リンク１２５を介して正確に受信されることを保証する方法であり得る。ＨＡＲＱは、（たとえば、ＣＲＣを使用する）誤り検出、前方誤り訂正（ＦＥＣ）、および再送信（たとえば、自動再送要求（ＡＲＱ））の組合せを含み得る。ＨＡＲＱは、劣悪な無線状態（たとえば、信号対雑音状態）でのＭＡＣレイヤにおけるスループットを改善し得る。ＬＬ動作は、非ＬＬシナリオにおけるＨＡＲＱ動作と比較して、ＨＡＲＱ動作のレイテンシを減少させ得る。
【００５６】
[0071]基地局１０５は、ＵＥ１１５のチャネル推定およびコヒーレント復調を助けるためにＣＲＳなどの周期パイロットシンボルを挿入し得る。ＣＲＳは、５０４個の異なるセル識別のうちの１つを含み得る。それらは、それらを雑音および干渉に対して回復力があるようにするために、４位相シフトキーイング（ＱＰＳＫ）とブーストされた（たとえば、周囲のデータ要素よりも６ｄＢ高く送信された）電力とを使用して変調され得る。ＣＲＳは、受信するＵＥ１１５のアンテナポートまたはレイヤの数（最高４つ）に基づいて各リソースブロック中の４〜１６個のリソース要素中に埋め込まれ得る。システム情報の場合と同様に、ＣＲＳはＬＬ  ＵＥ１１５と非ＬＬ  ＵＥ１１５の両方によって読み取られ得る。したがって、システム１００は、ＣＲＳ送信を中断させるのを回避するようにＬＬ動作をスケジュールし得る。
【００５７】
[0072]キャリアは、（たとえば、対スペクトルリソースを使用する）ＦＤＤ動作、または（たとえば、不対スペクトルリソースを使用する）ＴＤＤ動作を使用して、双方向通信を送信し得る。ＦＤＤ用のフレーム構造（たとえば、フレーム構造タイプ１）およびＴＤＤ用のフレーム構造（たとえば、フレーム構造タイプ２）が定義され得る。ＴＤＤフレーム構造の場合、各サブフレームは、ＵＬトラフィックまたはＤＬトラフィックを搬送し得、ＤＬ送信とＵＬ送信との間で切り替わるために特殊サブフレームが使用され得る。無線フレーム内でのＵＬサブフレームおよびＤＬサブフレームの割振りは、対称または非対称であり得、静的に決定され得るか、または半静的に再構成され得る。特殊サブフレームは、ＤＬトラフィックまたはＵＬトラフィックを搬送し得、ＤＬトラフィックとＵＬトラフィックとの間にガード期間（ＧＰ：Guard Period）を含み得る。ＵＬトラフィックからＤＬトラフィックへの切替えは、特殊サブフレームまたはガード期間を使用せずに、ＵＥ１１５においてタイミングアドバンス（timing advance）を設定することによって達成され得る。フレーム期間（たとえば、１０ｍｓ）またはフレーム期間の１／２（たとえば、５ｍｓ）に等しい切替えポイント周期性をもつＵＬ−ＤＬ構成もサポートされ得る。たとえば、ＴＤＤフレームは１つまたは複数の特殊フレームを含み得、特殊フレーム間の期間が、フレームのためのＴＤＤ  ＤＬからＵＬへの切替えポイント周期性を決定し得る。
【００５８】
[0073]ＬＴＥ／ＬＴＥ−Ａの場合、表１に示されているように、ＤＬサブフレームを４０％と９０％との間で与える７つの異なるＴＤＤ  ＤＬ／ＵＬ構成が定義される。  
【００５９】
【表１】
0006487053.tif 000002
【００６０】
[0074]ＴＤＤの使用は、対ＵＬ−ＤＬスペクトルリソースを必要としないフレキシブルな展開を提供する。いくつかのＴＤＤネットワーク展開では、ＵＬ通信とＤＬ通信との間で干渉（たとえば、異なる基地局からのＵＬ通信とＤＬ通信との間の干渉、基地局およびＵＥからのＵＬ通信とＤＬ通信との間の干渉など）が引き起こされ得る。たとえば、異なるＴＤＤ  ＵＬ−ＤＬ構成に従って重複するカバレージエリア内で異なる基地局１０５が異なるＵＥ１１５をサービスする場合、サービング基地局１０５からのＤＬ送信を受信し復号することを試みるＵＥ１１５は、他の近接して位置するＵＥ１１５からのＵＬ送信からの干渉に遭遇する可能性がある。
【００６１】
[0075]場合によっては、ワイヤレス通信システムは（たとえば、拡張キャリアアグリゲーション（ｅＣＡ）方式とともに）、１つまたは複数の拡張コンポーネントキャリア（ｅＣＣ）を利用し得る。ｅＣＣは、フレキシブルな帯域幅、動的ＴＴＩ、ＬＬサブフレーム、ＬＬ  ＴＴＩ、および修正される制御チャネル構成を含む１つまたは複数の特徴によって特徴づけられ得る。場合によっては、ｅＣＣは、（すなわち、複数のサービングセルが準最適なバックホールリンクを有するとき）キャリアアグリゲーション構成またはデュアル接続性構成に関連付けられ得る。ｅＣＣはまた、（２つ以上の事業者がスペクトルを使用するのを認可された場合）無認可スペクトルまたは共有スペクトルにおける使用のために構成され得る。
【００６２】
[0076]このようにして、システム１００は、（たとえば、サブフレームレベルおよびシンボルレベルで）デュアルＴＴＩ構造を利用し得、１つまたは複数のＴＤＤキャリアを用いたＬＬ動作をサポートし得る。一方向における送信のためにスケジュールされたＬＬサブフレームは、ＵＬ送信とＤＬ送信の両方のためにスケジュールされた複数のＬＬシンボルを含み得る。ＵＥ１１５が受信モードから送信または受信モードに遷移することを可能にするために、反対の方向をもつ隣接するＬＬシンボル間にガード期間がスケジュールされ得る。ＬＬサブフレームは、ＬＬ動作をサポートしない受信デバイスに対して透過的であり得、たとえば、受信デバイスは、サブフレームがそのサブフレームのスケジューリング情報によって示されるのとは反対の方向におけるＬＬシンボルを含むことを知らないことがある。ＬＬサブフレームは、ＬＬに基づいて、サブフレームレベルＴＴＩに基づいて、または両方に基づいて通信をサポートし得る。
【００６３】
[0077]図２は、本開示の様々な態様による、ＴＤＤにおいてＬＬをサポートするワイヤレス通信システム２００の一例を示す。ワイヤレス通信システム２００は、図１を参照しながら上記で説明したＵＥ１１５の例であり得る、ＵＥ１１５−ａおよび１１５−ｂを含み得る。ワイヤレス通信システム２００は、図１を参照しながら上記で説明した基地局１０５の一例であり得る、基地局１０５−ａをも含み得る。
【００６４】
[0078]基地局１０５−ａは、カバレージエリア１１０−ａ内のいずれかのＵＥ１１５と通信し得る。たとえば、基地局１０５−ａは、それぞれ、ダウンリンク２１０−ａおよびアップリンク２０５−ａならびにダウンリンク２１０−ｂおよびアップリンク２０５−ｂを介してＵＥ１１５−ａおよびＵＥ１１５−ｂとデータおよび制御を交換し得る。情報は、（たとえば、サブフレーム２１５中の）時間および（たとえば、キャリア上の）周波数などの無線リソースを使用して、アップリンク２０５およびダウンリンク２１０を介して搬送され得る。システム２００は、所与のサブフレーム２１５中に、ＵＥ１１５が情報を受信するかまたは情報を送信するようにスケジュールされるようにＴＤＤを実装し得る。場合によっては、システム２００は、ＬＬ対応ＵＥ１１５が情報を送信することと受信することの両方をその間に行い得るＬＬサブフレーム２２０を利用し得る。
【００６５】
[0079]ＬＬサブフレーム２２０は、アップリンク方向とダウンリンク方向の両方においてデータを搬送し得る。たとえば、ＬＬサブフレーム２２０は、ダウンリンクのためにスケジュールされたいくつかのシンボルと、アップリンクのためにスケジュールされたいくつかのシンボルとを含み得る。ＵＥ１１５は、基地局１０５によってスケジュールされたＴＴＩ中に情報を送信および受信するために送信セットアップと受信セットアップの間で切り替わり得る。それに応じて、基地局１０５は、通信方向の変化の間に（たとえば、アップリンクＴＴＩとダウンリンクＴＴＩとの間に）空のＴＴＩをスケジュールし得、それにより、ＵＥは再構成するための時間を与えられ得る。空のＴＴＩはサブフレームレベルまたはシンボルレベルにあり得、ガード期間と呼ばれることがある。場合によっては、基地局１０５とＵＥ１１５との間の通信のためにＣＡが使用され得る。それに応じて、ダウンリンク２１０とアップリンク２０５とのためのリソースを分配するために半二重化（half-duplexing）が使用され得る。
【００６６】
[0080]本例では、基地局１０５−ａは、ダウンリンクサブフレーム２２５−ａ中にＵＥ１１５−ａおよびＵＥ１１５−ｂに情報を送信し得る。基地局１０５−ａはまた、対応するサブフレーム２２５−ｂ中にＵＥ１１５−ｂに情報を送信し得る。基地局１０５−ａは、アップリンクのためにＬＬサブフレーム２２０のいくつかのシンボルを、およびダウンリンクのためにいくつかのシンボルをスケジュールし得る。しかしながら、場合によっては、異なるプロトコルをサポートするＵＥ１１５がカバレージエリア１１０−ａ内にあり得る。たとえば、ＵＥ１１５−ａはＬＬサブフレーム２２０をサポートすることがあり、ＵＥ１１５−ｂはＬＬサブフレーム２２０をサポートしないことがある。そのような場合、ＵＥ１１５−ｂはＬＬサブフレーム２２０をアップリンクサブフレーム２２５として扱い得る。たとえば、ＵＥ１１５−ａは、ＬＬサブフレーム２２０をＬＬサブフレームとして認識し、それに応じて挙動し得る（たとえば、ＵＥ１１５−ａは、基地局１０５−ａによってスケジュールされたＬＬサブフレーム２２０内のシンボル中に送信および受信し得る）。対照的に、ＵＥ１１５−ｂは、ＬＬサブフレーム２２０をＬＬサブフレームとして認識しないことがあり、ＬＬサブフレーム２２０をダウンリンクサブフレームとして扱い得る。言い換えれば、ＵＥ１１５−ｂは、低レイテンシスケジューリングに関連するＬＬサブフレーム２２０内のシンボルを無視し得る。
【００６７】
[0081]場合によっては、システム２００は、基地局１０５−ａとＵＥ１１５−ａ、１１５−ｂとの間の通信のためにＣＡを採用し得る。たとえば、基地局１０５−ａは、ＵＥ１１５に制御とデータとを搬送するために２つ以上のコンポーネントキャリアを使用し得る。このコンポーネントキャリアはＬＬサブフレーム２２０などのＬＬ  ＴＴＩを含み得る。システム２００は、ＵＥ１１５が所与のサブフレーム中に受信または送信しているように、コンポーネントキャリア上でのアップリンク２０５送信とダウンリンク２１０送信の両方に適応する（accommodate）ために半二重化を実装し得る。たとえば、基地局１０５は、同じ構成に従って異なるコンポーネントキャリアフレームに関連するサブフレームをスケジュールし得る。さらに、コンポーネントキャリアに関連するサブフレームのＬＬシンボル構成は同じであり得る。
【００６８】
[0082]システム２００は、ＴＴＩ中に送られるデータのステータスに関するフィードバックを提供し得るＨＡＲＱ方式を実装し得る。たとえば、ＨＡＲＱプロセスはシンボルレベルで実施され得る。基地局１０５−ａは、たとえば、ＬＬサブフレーム３１０中にデータを送信し、同じＬＬサブフレーム３１０中にそのデータに関連するＡＣＫ／ＮＡＣＫを受信し得る。ＬＬ  ＴＴＩ構造を利用すること、たとえば、方向ベースのリソースブレークダウンのグラニュラリティ（granularity of direction-based resource breakdown）を増加させることは、基地局１０５−ａとＵＥ１１５−ａとの間の通信について、他のＴＴＩ構造に対して、レイテンシを減少させ得る。
【００６９】
[0083]図３Ａは、本開示の様々な態様によるＴＤＤにおけるＬＬのためのフレーム構成３０１の拡大図の一例を示す。フレーム構成３０１は、ダウンリンクまたはアップリンクのためにスケジュールされたいくつかのＬＬサブフレーム３１０を含み得る、フレーム３０５を含み得る。ＬＬサブフレーム３１０は、図２を参照しながら説明したＬＬサブフレーム２２０の一例であり得る。フレーム３０５はＦＤＤまたはＴＤＤシステムにおいて使用され得る。
【００７０】
[0084]フレーム３０５は、いくつかのＬＬダウンリンクサブフレーム３１５とＬＬアップリンクサブフレーム３２５とを含み得る。場合によっては、フレーム３０５はＬＬサブフレームと非ＬＬサブフレームとを含み得る。ＬＬダウンリンクサブフレーム３１５とＬＬアップリンクサブフレーム３２５との分配は、あらかじめ定義されたアップリンク／ダウンリンクＴＤＤ構成に従って（たとえば、表１において識別される構成に従って）基地局１０５によって決定され得る。たとえば、フレーム３０５は、第１および第７のＬＬサブフレーム３１０がダウンリンク用であり、第３、第４、第５、第８、第９、および第１０のＬＬサブフレーム３１０がアップリンク用である構成、ＴＤＤ構成０、の一例であり得る。ＬＬダウンリンクサブフレーム３１５とＬＬアップリンクフレーム３２５との間に、基地局はどんな情報もスケジュールしないことがある。そのようなスケジューリングギャップは、ＵＥ１１５がダウンリンクセットアップからアップリンクセットアップに遷移することを可能にし得る。したがって、フレーム３０５は、（たとえば、ダウンリンクからアップリンクに）通信方向が変化するときのオケージョンのためのガード期間として働く特殊サブフレーム３２０を含み得る。
【００７１】
[0085]ＬＬサブフレーム３１０はより小さいセグメントに区分され得、たとえば、スロットなどのより大きいＴＴＩは、シンボルなどのより小さいＴＴＩを含み得る。たとえば、ＬＬサブフレーム３１０はいくつかのＬＬシンボル３３０を含み得る。ＬＬシンボル３３０は、ダウンリンクデータ（たとえば、ダウンリンクシンボル）またはアップリンクデータ（たとえば、アップリンクシンボル）を搬送するようにスケジュールされ得る。いくつかの低レイテンシ構成では、基地局１０５は、ＬＬサブフレーム３１０と同じであるかまたは異なる方向に従ってＬＬサブフレーム３１０のＬＬシンボル３３０をスケジュールし得る。たとえば、ＬＬダウンリンクサブフレーム３１５はＬＬダウンリンクシンボル３３５−ａとＬＬアップリンクシンボル３４５−ａの両方を含み得、ＬＬアップリンクサブフレーム３２５はＬＬダウンリンクシンボル３３５−ｂとＬＬアップリンクシンボル３４５−ｂの両方を含み得る。ＬＬアップリンクシンボル３４５とＬＬダウンリンクシンボル３３５の両方がＬＬサブフレーム３１０中に存在するので、ＬＬサブフレーム３１０中にＨＡＲＱプロセスが実施され得る。たとえば、基地局１０５は、ダウンリンクシンボル３３５−ａ中にデータを送信し、ＬＬアップリンクシンボル３４５−ａにおいてＬＬダウンリンクシンボル３３５−ａ中に搬送されたデータのＡＣＫ／ＮＡＣＫを受信し得る。このようにして、ＨＡＲＱプロセスはシンボルレベルで（たとえば、ＬＬサブフレーム３１０内で）実施され得る。
【００７２】
[0086]基地局１０５は、いくつかのＴＴＩの部分（たとえば、ＬＬサブフレーム３１０またはＬＬシンボル３３０）を、アップリンク通信またはダウンリンク通信のいずれに対してもスケジュールしないことがある。スケジュールされた通信中のギャップは、ＵＥ１１５が受信状態から送信状態に、またはその逆に変化するための時間を提供し得る。ギャップはまた、別のノードからの送信からの受信に対する干渉を緩和するのを助け得る。たとえば、基地局１０５は、特殊サブフレーム３２０中のいくつかのシンボル中に通信をスケジュールするのを控え得る。したがって、特殊サブフレーム３２０中に、ＵＥ１１５は通信状態を再構成し得、たとえば、ＵＥ１１５は、受信構成から送信構成に変化することなどができ得る。場合によっては、特殊サブフレーム３２０中のシンボルのこれらのセットはガード期間と呼ばれることがある。本開示によれば、基地局１０５は、いくつかの他のＬＬシンボル３３０をスケジュールするのを控えながら、特殊サブフレーム３２０内での通信のためにいくつかのＬＬシンボル３３０をスケジュールし得る。このようにして、特殊サブフレーム３２０の断片（a fraction）（たとえば、１つのＬＬシンボル３３０または１つのＬＬシンボル３３０の断片）が切替え時間のために使用され得る。言い換えれば、サブフレームレベルでの切替え周波数（switching frequency）の代わりに、ＵＥ１１５のためにシンボルレベル切替え周波数が実装され得る。たとえば、ダウンリンク部分送信方式（ＤｗＰＴＳ：downlink partial transmission scheme）部分３５０が、特殊サブフレーム３２０の最初のいくつかのシンボルについて定義され得、ＤｗＰＴＳ部分３５０のシンボルはＤＬ  ＬＬのためにスケジュールされ得る。同様に、アップリンク部分送信方式（ＵｐＰＴＳ：uplink partial transmission scheme）部分３５５が、特殊サブフレーム３２０の最後のいくつかのシンボルについて定義され得、ＵｐＰＴＳ部分３５５のシンボルはＵＬ  ＬＬのためにスケジュールされ得る。さらに、図３Ａに示された例に示されているように、特殊サブフレーム３２０のガード期間３５３の１つのシンボルを残してすべてのシンボルも、ＬＬ（たとえば、ＵＬ  ＬＬ）のためにスケジュールされ得る。別の例として、図示されていないが、特殊サブフレーム３２０のガード期間３５３の少なくとも１つのシンボルもＤＬ  ＬＬのためにスケジュールされ得、一方、特殊サブフレーム３２０のガード期間３５３の少なくとも１つのシンボルもＵＬ  ＬＬのためにスケジュールされ得る。１つまたは複数の切替え期間が特殊サブフレーム３２０内に実装され得、ここで、各切替え期間は、ＤＬ  ＬＬもしくはＵＬ  ＬＬからの、またはその逆の遷移の間に置かれ得る。各切替え期間の持続時間は、シンボルのユニット単位またはシンボルの断片単位であり得る。各切替え期間の持続時間は同じであることも、または同じでないこともある。
【００７３】
[0087]異なるＵＥ１１５は、異なる様式に従って特殊サブフレーム３２０を処理し得る。いくつかのＵＥ１１５は、ブラックボックスとして特殊サブフレーム３２０を扱い得るが、たとえば、特殊サブフレーム３２０内のＬＬシンボル３３０に関連する情報を無視するが、他のＵＥ１１５は、透明ボックス（transparent box）として特殊サブフレームを扱い得る、たとえば、特殊サブフレーム３２０内のＬＬシンボル３３０に関連する情報を認識し処理する。言い換えれば、いくつかのＵＥ１１５は、特殊サブフレーム３２０内の情報を搬送するためにスケジュールされたＬＬシンボル３３０を認識しないことがある。
【００７４】
[0088]場合によっては、基地局１０５は、シンボルレベルにおける通信方向変化の間のギャップをスケジュールし得る（たとえば、ギャップがＬＬサブフレーム３１０内にあり得る）。たとえば、基地局１０５は、ＵＥ１１５が構成を変更することを可能にし得る、ガード期間３４０−ａと３４０−ｂとをスケジュールし得る。ガード期間３４０はＬＬシンボル３３０と同じ長さであり得るか、またはそれらはＬＬシンボル３３０の長さの断片であり得る。さらに、断片長ガード期間（fractional-length guard periods）３４０は同じまたは異なる長さを有し得る。いくつかの例では、ＧＰシンボルのために余分の時間を犠牲にすることなしに、いくつかの交互に起こるＤＬ  ＬＬ期間またはＵＬ  ＬＬ期間がサブフレーム内にスケジュールされ得る。これは、たとえば、ＧＰシンボルのために断片シンボル長（fractional symbol lengths）を使用することによって達成され得る。断片シンボルの持続時間は長さが異なり得るが、シンボル期間に等しい和を有し得る。この方式はまた、ＤＬおよびＵＬのために異なるサイクリックプレフィックス（ＣＰ）が使用される場合に有利であり得る。たとえばの場合、ＬＬサブフレーム３１０内の２つのガード期間３４０の和は、ＬＬサブフレーム３１０内のＬＬシンボル３３０の長さに等しくなり得、たとえば、２つのガード期間３４０は、特にＵＬ  ＬＬがＤＬ  ＬＬとは異なるＣＰを有するとき、単一のＬＬシンボル３３０または単一のＬＬシンボル３３０の断片の長さを使用しながら、ＵＥ１１５に切替え時間を提供し得る。このようにして、より多くのＬＬシンボル３３０が通信のために利用可能になり得る。
【００７５】
[0089]ＬＬダウンリンクシンボル３３５とＬＬアップリンクシンボル３４５との分配は、基地局１０５によって決定され得、ＬＬサブフレーム３１０によって異なり得る。さらに、ＬＬダウンリンクサブフレーム３１５の構成は、ＬＬアップリンクサブフレーム３２５の構成とは異なり得る。いくつかのＬＬサブフレーム３１０およびＬＬシンボル３３０はフレキシブルなスケジューリングに適しないことがある。たとえば、ＬＬサブフレーム３１０は、システム取得（system acquisition）のためにＵＥによって使用され得るシステム情報ブロック（ＳＩＢ）に関連する制御情報を搬送するために割り振られ得る。一例として、ＳＩＢ１は、サブフレーム５、２５、４５、６５などにおいて送信するようにスケジュールされ、結果的に、これらのサブフレームはフレキシブルなスケジューリングに適しないことがある。さらに、いくつかのシンボルは、ＵＥ１１５によって、チャネル推定、同期（たとえば、１次同期信号ＰＳＳまたは２次同期信号（ＳＳＳ））、システム情報ブロードキャスト（たとえば、１次ブロードキャストチャネルまたはＰＢＣＨ）、時間／周波数トラッキング、無線リソース管理、無線リンク監視、干渉推定など（たとえば、セル固有基準信号（ＣＲＳ））のために使用され得る。そのような場合、基地局１０５は、低レイテンシに従って不適当なＴＴＩ（たとえば、ＬＬサブフレーム３１０またはＬＬシンボル３３０）をスケジュールするのを控え得る。同様の様式で、基地局は、リソースブロックレベルまたはリソース要素レベルにおいて本明細書で説明する低レイテンシ構成に従ってリソースをスケジュールするのを控え得る。一例として、いくつかのサブフレーム中の中心の６つのリソースブロックが、ＰＳＳ、ＳＳＳ、および／またはＰＢＣＨを搬送するために使用され得、したがって、フレキシブルなスケジューリングに適しないことがある。したがって、基地局１０５は、様々な低レイテンシ構成に従って無線リソースをスケジュールし得、非ＬＬ  ＵＥ１１５のための同期信号、基準信号、またはシステム情報の送信に悪影響を及ぼすのを回避するためにそのようにし得る。
【００７６】
[0090]基地局１０５は、様々なＴＴＩ構成をサポートするために制御シグナリングを使用し得る。たとえば、基地局１０５は、明示的指示を介して（たとえば、物理ダウンリンク制御チャネル（ＰＤＣＣＨ）などの制御チャネルを介して）、どのＬＬシンボル３３０がダウンリンク用であるか、およびどのＬＬシンボル３３０がアップリンク用であるかをＵＥ１１５にシグナリングし得る。いくつかの例では、基地局１０５は、そのようなスケジューリングのために低レイテンシ制御チャネル（たとえば、ｕＰＤＣＣＨ）を利用し得る。別の例では、ＵＥ１１５は、各ＬＬシンボル３３０のデータ方向を決定するために（たとえば、基地局１０５によるスケジューリング決定に基づく）暗黙的決定を使用し得る。
【００７７】
[0091]図３Ｂは、本開示の様々な態様によるＴＤＤにおけるＬＬのためのＬＬキャリアアグリゲーション（ＣＡ）フレーム構成３０２の拡大図の一例を示す。ＣＡフレーム構成３０２は、第１のコンポーネントキャリア（ＣＣ１）上で搬送されるフレーム３０５−ａと、第２のコンポーネントキャリア（ＣＣ２）を介して搬送されるフレーム３０５−ｂとを含み得る。ＣＡフレーム３０５−ａおよびＣＡフレーム３０５−ｂは、図３Ａを参照しながら説明したＬＬダウンリンクサブフレーム３１５の例であり得る、いくつかのＬＬダウンリンクサブフレーム３１５を含み得る。ＣＡフレーム３０５−ａおよびＣＡフレーム３０５−ｂはまた図３Ａを参照しながら説明したＬＬアップリンクサブフレーム３２５の例であり得る、いくつかのＬＬアップリンクサブフレーム３２５を含み得る。ＬＬダウンリンクサブフレーム３１５およびＬＬアップリンクサブフレーム３２５は、ＤＬ  ＬＬダウンリンクシンボル３３５−ｃと、ＵＬ  ＬＬシンボル３４５−ｃと、ガード期間３４０−ｃとを含む、いくつかのＬＬシンボルを含み得る。
【００７８】
[0092]基地局１０５は、図１を参照しながら説明したようになど、ＣＡフレーム３０５−ａとＣＡフレーム３０５−ｂとを使用してＵＥ１１５と通信するためにＣＡを使用し得る。帯域内周波数を使用するＣＡの場合、各ＣＡフレーム３０５−ａ、３０５−ｂは半二重化方式に従って送信され得る。たとえば、基地局１０５は、ＣＡフレーム３０５−ａおよびＣＡフレーム３０５−ｂのために同じサブフレーム構成を決定し得る。本例では、ＣＡフレーム３０５−ａ、３０５−ｂのＬＬサブフレーム０／４／５／９がダウンリンクのためにスケジュールされ、ＣＡフレーム３０５−ａおよび３０５−ｂのＬＬサブフレーム２／３／７／８がアップリンクのためにスケジュールされる。特殊サブフレーム３２０−ａおよび３２０−ｂは、アップリンクサブフレームからダウンリンクサブフレームを分離し（separate）、ＵＥ１１５が再構成することを可能にする。それに応じて、ＵＥ１１５は、ＬＬサブフレーム０／４／５／９中の受信と、ＬＬサブフレーム２／３／７／８中の送信構成への（サブフレーム０および６中の）変化とのために構成され得る。
【００７９】
[0093]ＬＬダウンリンクサブフレーム３１５−ａ、３１５−ｂとＬＬアップリンクサブフレーム３２５−ａ、３２５−ｂとのＬＬシンボルは、基地局１０５によって決定された構成に従って配置され得る。ＬＬシンボル構成は、ＵＥ１１５がＬＬシンボルを受信するかまたはＬＬシンボルを送信するようにスケジュールされるようになり得る。たとえば、ＬＬダウンリンクサブフレーム３１５−ａとＬＬダウンリンクサブフレーム３１５−ｂとの第１のＬＬシンボル中に、ＵＥは、基地局１０５−ａからのダウンリンク中で情報を受信し得る。場合によっては、ＵＥ１１５は、ＬＬダウンリンクシンボル３３５およびＬＬアップリンクシンボル３４５なしのサブフレームとしてＬＬサブフレームを扱い得る（すなわち、ＵＥ１１５はＬＬサブフレーム内のＬＬシンボルを無視し得る）。ＬＬダウンリンクサブフレーム３１５−ａ、３１５−ｂのＬＬシンボル構成は、ＬＬアップリンクサブフレーム３２５−ａ、３２５−ｂのシンボル構成とは異なり得る。
【００８０】
[0094]場合によっては、所与のシンボル中にすべてのＣＣが送信または受信するとは限らないことがある。すなわち、いくつかのＣＣは、トラフィックの欠如、異なる干渉保護要求、または異なるＣＣ中の異なるＵＬタイミングアドバンスを含む、様々な理由でアイドルであり得る。後者の場合の一例として、マクロセルは、ＤＬ送信からの干渉を潜在的に経験し得るＵＬ受信を保護するために、より長いＧＰを利用することができる。ＬＬアップリンクシンボル３４５−ｄによって示されているように、別のＣＣにＧＰがある（すなわち、したがってＵＬ  ＴＴＩとＤＬ  ＴＴＩがＣＣ間で競合しない）場合、ＬＬシンボルはもう一方のＣＣにおける送信のために使用され得る。
【００８１】
[0095]いくつかの例では、異なるコンポーネントキャリアによって搬送されるＣＡフレーム（たとえば、ＣＡフレーム３０５−ａおよびＣＡフレーム３０５−ｂ）のために相補的ＬＬサブフレーム構成が使用され得る。基地局１０５は、１つのＣＣがＬＬダウンリンクサブフレームを搬送することに関連付けられるように、および別のＣＣがＬＬアップリンクサブフレームを搬送することに関連付けられるように構成を選択し得る。別の例では、基地局１０５は、選定された方向（たとえば、アップリンク）のＬＬサブフレームが実質的に連続的にサポートされるようにＬＬサブフレーム構成を選択し得る。図３Ｃは、本開示の様々な態様によるキャリアアグリゲーション（ＣＡ）のための相補的ＬＬサブフレーム構成３０３の一例を示す。相補的ＬＬサブフレーム構成３０３は、第１のコンポーネントキャリア（ＣＣ１）上で搬送されるフレーム３０５−ｃと、第２のコンポーネントキャリア（ＣＣ２）を介して搬送されるフレーム３０５−ｄとを含み得る。図３Ｃの例によれば、ＣＣ１はＴＤＤ構成５（表１）を有し得、ＤＬ  ＬＬのために構成され得る。ＣＣ２はＴＤＤ構成０（表１）を有し得、ＵＬ  ＬＬのために構成され得る。そのような場合、ＣＣ１上のＤＬ  ＬＬはサブフレーム０／１／３／４／５／６／７／８／９中にスケジュールされ得、ＣＣ２上のＵＬ  ＬＬはサブフレーム１／２／３／４／６／７／８／９中にスケジュールされ得る。したがって、ＣＣ１およびＣＣ２で構成されたＵＥ１１５についてのＤＬ  ＬＬ中断（DL LL interruption）はサブフレーム２に限定され得、一方、ＵＥ１１５についてのＵＬ  ＬＬ中断は、サブフレーム０および５に、ならびに部分的に特殊サブフレーム１および６に限定され得る。
【００８２】
[0096]場合によっては、ＬＬが実質的にサブフレームごとに有効にされ得るように、異なるＣＣのためのフレームオフセットが採用され得る。図３Ｄは、本開示の様々な態様によるキャリアアグリゲーション（ＣＡ）のための相補的ＬＬサブフレーム構成３０４の一例を示す。相補的ＬＬサブフレーム構成３０４は、第１のコンポーネントキャリア（ＣＣ１）上で搬送されるフレーム３０５−ｅと、第２のコンポーネントキャリア（ＣＣ２）を介して搬送されるフレーム３０５−ｆからの（たとえば、２ｍｓだけの）オフセットとを含み得る。図３Ｄの例では、ＣＣ１はＴＤＤ構成２（表１）を有し得、ＣＣ２はＴＤＤ構成０（表１）を有し得る。２サブフレームオフセット（two-subframe offset）（たとえば、２ｍｓオフセット）では、ＤＬ  ＬＬおよびＵＬ  ＬＬは、両方のＣＣで構成されたＬＬ  ＵＥ１１５について実質的に連続的であり得る。すなわち、そのような例では、ＤＬ  ＬＬは、サブフレーム０／１／３／４／５／６／８／９中のＣＣ１上におよびサブフレーム０／５中のＣＣ１上に構成され得、ＵＬ  ＬＬは、サブフレーム２／７中のＣＣ１上におよびサブフレーム１／２／３／４／６／７／８／９中のＣＣ２上に構成され得る。
【００８３】
[0097]さらに他の例では、実質的にサブフレームごとにＬＬを有効にするために、追加のＴＤＤ構成、たとえば、表１に記載されたもの以外の構成が採用され得る。図３Ｅは、本開示の様々な態様によるキャリアアグリゲーション（ＣＡ）のための相補的ＬＬサブフレーム構成３０６の一例を示す。相補的ＬＬサブフレーム構成３０６は、第１のコンポーネントキャリア（ＣＣ１）３６０と、第２のコンポーネントキャリア（ＣＣ２）３６２と、第３のコンポーネントキャリア（ＣＣ３）３６４との上で搬送されるフレーム３０５−ｇおよび３０５−ｈを含み得る。図３Ｅの例によれば、ＣＣ２  ３６２は、フレーム３０５−ｇおよび３０５−ｈ中にＤＬのみの構成を有し得、ＣＣ３  ３６４は、フレーム３０５−ｇ中にＵＬのみの構成を有し得る。ＣＣ２  ３６２およびＣＣ３  ３６４は、ＬＬスケジューリング必要性に従って構成を動的に変えることができ得る。たとえば、ＣＣ２  ３６２またはＣＣ３  ３６４、あるいは両方は、上記で説明したｅＣＣの一例であり得る。
【００８４】
[0098]図４は、本開示の様々な態様による、ＴＤＤにおいてＬＬをサポートするプロセスフロー４００の一例を示す。プロセスフロー４００は、図１〜図２を参照しながら上記で説明されたＬＬ対応ＵＥ１１５の一例であり得る、ＵＥ１１５−ｃを含み得る。プロセスフロー４００はまた、図１〜図２を参照しながら上記で説明した基地局１０５の一例であり得る、基地局１０５−ｂを含み得る。
【００８５】
[0099]ステップ４０５において、基地局１０５−ｂおよびＵＥ１１５−ｃがＴＤＤキャリア上で接続を確立し得る。いくつかの例では、ＴＤＤキャリアは、ＣＡ動作のために構成された少なくとも２つのＣＣのうちの１つであり得る。いくつかの例では、第２のＣＣもＴＤＤ  ＣＣであり得、半二重動作（half-duplex operation）のために構成され得る。
【００８６】
[0100]ステップ４１０において、基地局１０５−ｂはＵＥ１１５−ｃに制御情報を送信し得る。たとえば、基地局１０５−ｂは無線リソース制御（ＲＲＣ）とＰＤＣＣＨ制御情報とを送信し得る。制御情報はＬＬ構成に関連する情報を含み得る。
【００８７】
[0101]ステップ４１５において、ＵＥ１１５−ｃはＴＤＤキャリアの第１のＴＴＩを識別し得る。第１のＴＴＩは、第１のＴＴＩ持続時間（たとえば、サブフレーム）を有し得、第１の方向（たとえば、図示されているようにＤＬ、しかし他の場合ではＵＬ）における送信のために構成され得る。場合によっては、第１のＴＴＩは、基地局１０５−ｂから送信されるＬＬ  ＤＬサブフレームであり得る。いくつかの例では、第１のＴＴＩ持続時間はＬＴＥサブフレームの長さであり得る。いくつかの例では、第１のＴＴＩを識別することは、（たとえば、ステップ４１０において送られた制御情報を介して）第１のＴＴＩを示す制御シグナリングを受信することを含む。
【００８８】
[0102]ステップ４２０において、ＵＥ１１５−ｃは、第１のＴＴＩ内の第２のＴＴＩを識別し得る。いくつかの例では、第２のＴＴＩを識別することは、第２のＴＴＩを示す制御シグナリングを受信することを含み得る。第２のＴＴＩは、第２のＴＴＩ持続時間（たとえば、シンボル期間）を有し得、第１の方向から逆方向であり得る第２の方向（たとえば、ＵＬまたはＤＬ）における送信のために構成され得る。場合によっては、第２のＴＴＩはＬＬ  ＵＬシンボルであり得る。いくつかの例では、第２のＴＴＩ持続時間は１つのＬＴＥシンボル期間の長さであり得る。ＵＥ１１５−ｃは、第２のＴＴＩ中に第２の方向において通信し得る（たとえば、ＵＥ１１５−ｃはＬＬ  ＵＬシンボル中に送信し得る）。いくつかの例では、通信することは、第２のＴＴＩ中に信号を送信することを含む。いくつかの例では、第２のＴＴＩを識別することは、第１のＴＴＩが、システム情報ブロック１（ＳＩＢ１）送信、ＣＲＳ送信、ブロードキャストチャネル、同期チャネル、または共通探索空間のためにスケジュールされないと決定することを含み得る。
【００８９】
[0103]ステップ４２５において、ＵＥ１１５−ｃは第１のガード期間（ＧＰ）を識別し得る。第１のＧＰは、図２〜図３Ｂを参照しながら説明するようにＬＬ  ＧＰであり得る。たとえば、第１のＧＰは通信のためにスケジュールされないことがある。第１のＧＰは、ＵＥ１１５−ｃが第１のＧＰ中に再構成され得るように、異なる方向のためにスケジュールされたＴＴＩを分離し得る。第１のＧＰは第２のＴＴＩ持続時間と同じ長さであり得る（たとえば、第１のＧＰはシンボルの長さであり得る）。他の例では、第１のＧＰは、第２のＴＴＩの持続時間とは異なる持続時間であり得る（たとえば、第１のＧＰはシンボル長の断片であり得る）。場合によっては、デバイスは、第１のＴＴＩ内のガード期間中に通信するのを控え得る。
【００９０】
[0104]ステップ４３０において、ＵＥ１１５−ｃは、第１のＴＴＩ内の第３のＴＴＩを識別し得る。第３のＴＴＩは、第２のＴＴＩ持続時間と同じ持続時間を有し得、第１の方向における送信のために構成され得る。たとえば、第３のＴＴＩは、図２〜図３Ｂを参照しながら説明したものなどのＬＬ  ＤＬシンボルであり得る。ＵＥ１１５−ｃは、第２のＴＴＩと第３のＴＴＩとの間のガード期間を識別し得る。たとえば、第１のＧＰは、第１のＧＰが第２のＴＴＩと第３のＴＴＩとの間にあるように第１のＴＴＩ中にスケジュールされ得る。
【００９１】
[0105]ステップ４３５において、ＵＥ１１５−ｃは、第１のＴＴＩ内の第２のＧＰを識別し得る。第２のＧＰは、図２〜図３Ｂを参照しながら説明したＬＬ  ＧＰの一例であり得る。第２のＧＰは第２のＴＴＩと同じ持続時間を有し得る。しかしながら、第２のＧＰは第２のＴＴＩと異なる持続時間を有し得る。いくつかの例では、第１のＧＰの持続時間と第２のＧＰの持続時間との和は第２のＴＴＩ持続時間に等しい（すなわち、単一のシンボル期間に等しい）。言い換えれば、ＧＰは、オーバーヘッドを低減するためにＴＴＩ持続時間よりも小さくてよい。
【００９２】
[0106]いくつかの例では、ＵＥ１１５−ｃは、第１のＴＴＩ持続時間を有し、ＤＬ部分とＵＬ部分とガード期間とを含む特殊サブフレームを識別し得る。ガード期間はＴＴＩのセットを含み得、それらの各々は第２のＴＴＩ持続時間と同じ長さを有し得る。ＴＴＩのセットは、第１または第２の方向（たとえば、ダウンリンクまたはアップリンク）における送信のために構成され得る。
【００９３】
[0107]デバイスはまた、ガード期間と整列された第３のＬＬ  ＴＴＩ中に第２のＴＤＤ  ＣＣ上で第１の方向において通信し得る。いくつかの例では、２つのＣＣはフレームのための相補的送信構成を有し、ここで、相補的送信構成は、図３Ｃ〜図３Ｄを参照しながら説明する。相補的送信構成は、フレームの実質的にあらゆるサブフレーム中の第１の方向における送信のために構成された複数のＴＴＩと、第２の方向における送信のために構成された少なくとも１つのＴＴＩとを含み得る。いくつかの例では、相補的送信構成は、ＴＤＤキャリアと第２のＣＣとのためのオフセットフレーム構造を含む。いくつかの例では、ＣＡ動作のために構成された複数のＣＣはまた、第１または第２の方向のうちの１つにおける送信のためにそれぞれ構成された第１の持続時間のＴＴＩを備えるフレームを有する第３のＣＣを含む。いくつかの例では、第２のＴＴＩは、第１の時間期間中のＴＤＤキャリア上の第３の方向における送信のために構成され、第２の時間期間中の第３の方向における第２のＣＣ上の送信のために構成される。
【００９４】
[0108]図５は、本開示の様々な態様による、ＴＤＤにおいてＬＬをサポートするワイヤレスデバイス５００のブロック図を示す。ワイヤレスデバイス５００は、図１〜図４を参照しながら説明したデバイスの態様の一例であり得る。ワイヤレスデバイス５００は、受信機５０５、ＴＤＤ  ＬＬモジュール５１０、または送信機５１５を含み得る。ワイヤレスデバイス５００はプロセッサをも含み得る。これらの構成要素の各々は互いと通信していることがある。
【００９５】
[0109]受信機５０５は、パケット、ユーザデータ、または様々な情報チャネルに関連付けられた制御情報（たとえば、制御チャネル、データチャネル、ＴＤＤにおけるＬＬに関係する情報など）などの情報を受信し得る。情報は、ＴＤＤ  ＬＬモジュール５１０に、およびワイヤレスデバイス５００の他の構成要素に渡され得る。いくつかの例では、受信機５０５は、第１のＴＴＩ（たとえば、サブフレーム）を示す制御シグナリング、第２のＴＴＩ（たとえば、シンボル期間）を示す制御シグナリング、または第２のＴＴＩ中の別の信号を受信し得る。場合によっては、受信機５０５は、図８のトランシーバ８３５または図９のトランシーバ９３５の態様を示し得る。
【００９６】
[0110]ＴＤＤ  ＬＬモジュール５１０は、ＴＤＤキャリアの第１のＴＴＩを識別し得、第１のＴＴＩは第１のＴＴＩ持続時間を有し、第１の方向における送信のために構成される。ＴＤＤ  ＬＬモジュール５１０はまた、第１のＴＴＩ内の第２のＴＴＩを識別し得、第２のＴＴＩは第２のＴＴＩ持続時間を有し、第１の方向から逆方向である第２の方向における送信のために構成される。ＴＤＤ  ＬＬモジュール５１０は、受信機５０５または送信機５１５と組み合わせて、たとえば、第２のＴＴＩ中に第２の方向において通信し得る。場合によっては、ＴＤＤ  ＬＬモジュール５１０は、図８のプロセッサ８０５またはＴＤＤ  ＬＬモジュール８１０あるいは図９のプロセッサ９０５または基地局ＴＤＤ  ＬＬモジュール９１０の態様を示し得る。
【００９７】
[0111]送信機５１５は、ワイヤレスデバイス５００の他の構成要素から受信された信号を送信し得る。いくつかの例では、送信機５１５は、トランシーバモジュールにおいて受信機５０５とコロケートされ（collocated）得る。送信機５１５は単一のアンテナを含み得るか、または送信機５１５は複数のアンテナを含み得る。いくつかの例では、送信機５１５は、第２のＴＴＩ中に第２の方向において通信し得る。場合によっては、送信機５１５は、図８のトランシーバ８３５または図９のトランシーバ９３５の態様を示し得る。
【００９８】
[0112]図６は、本開示の様々な態様による、ＴＤＤにおいてＬＬをサポートするワイヤレスデバイス６００のブロック図を示す。ワイヤレスデバイス６００は、図１〜図５を参照しながら説明したワイヤレスデバイス５００またはデバイスの態様の一例であり得る。ワイヤレスデバイス６００は、受信機５０５−ａ、ＴＤＤ  ＬＬモジュール５１０−ａ、または送信機５１５−ａを含み得る。ワイヤレスデバイス６００はプロセッサをも含み得る。これらの構成要素の各々は互いと通信していることがある。ＴＤＤ  ＬＬモジュール５１０−ａはまた、第１のＴＴＩ識別モジュール６０５と、第２のＴＴＩ識別モジュール６１０とを含み得る。
【００９９】
[0113]受信機５０５−ａは、ＴＤＤ  ＬＬモジュール５１０−ａに、およびデバイス６００の他の構成要素に渡され得る情報を受信し得る。ＴＤＤ  ＬＬモジュール５１０−ａは、図５を参照しながら上記で説明した動作を実施し得る。送信機５１５−ａは、ワイヤレスデバイス６００の他の構成要素から受信された信号を送信し得る。場合によっては、受信機５０５−ａは、図８のトランシーバ８３５または図９のトランシーバ９３５の態様を示し得る。いくつかの例では、ＴＤＤ  ＬＬモジュール５１０−ａは、図８のプロセッサ８０５またはＴＤＤ  ＬＬモジュール８１０あるいは図９のプロセッサ９０５または基地局ＴＤＤ  ＬＬモジュール９１０の態様を示し得る。場合によっては、送信機５１５−ａは、図８のトランシーバ８３５または図９のトランシーバ９３５の態様を示し得る。
【０１００】
[0114]第１のＴＴＩ識別モジュール６０５は、図２〜図４を参照しながら上記で説明したように、ＴＤＤキャリアの第１のＴＴＩを識別し得、第１のＴＴＩは第１のＴＴＩ持続時間を有し、第１の方向における送信のために構成される。いくつかの例では、第１のＴＴＩ持続時間はＬＴＥサブフレームである。
【０１０１】
[0115]第２のＴＴＩ識別モジュール６１０は、図２〜図４を参照しながら上記で説明したように、第１のＴＴＩ内の第２のＴＴＩを識別し得、第２のＴＴＩは、第２のＴＴＩ持続時間（たとえば、１つのＬＴＥシンボル期間）を有し、第１の方向から逆方向である第２の方向における送信のために構成される。第２のＴＴＩ識別モジュール６１０はまた、第１のＴＴＩ内の第３のＴＴＩを識別し得、第３のＴＴＩは第２のＴＴＩ持続時間を有し、第１の方向における送信のために構成される。いくつかの例では、第１の方向はＵＬ方向であり得、第２の方向はＤＬ方向であり得る。いくつかの例では、第１の方向はＤＬ方向であり得、第２の方向はＵＬ方向であり得る。いくつかの例では、第２のＴＴＩを識別することは、第１のＴＴＩがシステム情報ブロック１（ＳＩＢ１）送信のためにスケジュールされないことがあると決定することを含む。いくつかの例では、第２のＴＴＩを識別することは、第２のＴＴＩがＣＲＳ送信のためにスケジュールされないことがあると決定することを含む。いくつかの例では、第２のＴＴＩを識別することは、第２のＴＴＩが、物理ブロードキャストチャネル、同期チャネル、または共通探索空間のうちの少なくとも１つのために予約されたリソースブロックにおいてスケジュールされないことがあると決定することを含む。いくつかの例では、第２のＴＴＩは、第１の時間期間中のＴＤＤキャリア上の第３の方向における送信のために構成され得、第２の時間期間中の第３の方向における第２のＣＣ上の送信のために構成され得る。
【０１０２】
[0116]図７は、本開示の様々な態様による、ＴＤＤにおいてＬＬをサポートするワイヤレスデバイス５００またはワイヤレスデバイス６００の構成要素であり得るＴＤＤ  ＬＬモジュール５１０−ｂのブロック図７００を示す。ＴＤＤ  ＬＬモジュール５１０−ｂは、図５〜図６を参照しながら説明したＴＤＤ  ＬＬモジュール５１０の態様の一例であり得る。ＴＤＤ  ＬＬモジュール５１０−ｂは、第１のＴＴＩ識別モジュール６０５−ａと、第２のＴＴＩ識別モジュール６１０−ａとを含み得る。これらのモジュールの各々は、図６を参照しながら上記で説明した機能を実施し得る。ＴＤＤ  ＬＬモジュール５１０−ｂはまた、ガード期間モジュール７０５と、ＰＴＳモジュール７１０と、ＣＡモジュール７１５とを含み得る。
【０１０３】
[0117]ガード期間モジュール７０５は、図２〜図４を参照しながら上記で説明したように、第２のＴＴＩと第３のＴＴＩとの間の第１のガード期間を識別し得、ここで、第１のガード期間は第１のＴＴＩ内にある。ガード期間モジュール７０５はまた、第１のＴＴＩ内の第２のガード期間を識別し得る。いくつかの例では、第１のガード期間の持続時間と第２のガード期間の持続時間との和は第２のＴＴＩ持続時間に等しくなり得る。ガード期間モジュール７０５はまた、第１のＴＴＩ内のガード期間中に通信するのを控え得る。ガード期間モジュール７０５はまた、ガード期間と整列された第２のＴＴＩ持続時間を有する第３のＴＴＩ中に第２のＴＤＤ  ＣＣ上で第１の方向において通信し得る。
【０１０４】
[0118]ＰＴＳモジュール７１０は、図２〜図４を参照しながら上記で説明したように、第１のＴＴＩ持続時間を有し、ＤＬ部分とＵＬ部分とガード期間とを備える特殊サブフレームを識別し得、ガード期間は、第１または第２の方向における送信のために構成された１つまたは複数のＴＴＩを含む。
【０１０５】
[0119]ＣＡモジュール７１５は、図２〜図４を参照しながら上記で説明したように、ＴＤＤキャリアが、ＣＡ動作のために構成された複数のＣＣのうちのＣＣであり得るように構成され得、複数のＣＣは第２のＣＣを備える。いくつかの例では、第２のＣＣはＴＤＤ  ＣＣであり得、第１のＴＴＩと第２のＴＴＩは両方とも半二重動作のために構成される。いくつかの例では、ＣＡ動作のために構成された複数のＣＣは、第１または第２の方向のうちの１つにおける送信のためにそれぞれ構成された第１の持続時間のＴＴＩを含むフレームを有する第３のＣＣを含み得る。
【０１０６】
[0120]ワイヤレスデバイス５００、ワイヤレスデバイス６００およびＴＤＤ  ＬＬモジュール５１０−ｂの構成要素はそれぞれ、適用可能な機能の一部またはすべてをハードウェアで実施するように適応された少なくとも１つのＡＳＩＣを用いて、個々にまたは集合的に実装され得る。代替的に、それらの機能は、１つまたは複数の他の処理ユニット（またはコア）によって、少なくとも１つのＩＣ上で実施され得る。他の例では、当技術分野で知られている任意の様式でプログラムされ得る、他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【０１０７】
[0121]図８は、本開示の様々な態様による、ＴＤＤにおいてＬＬをサポートするＵＥを含むシステム８００のブロック図を示す。システム８００は、図１、図２、および図５〜図７を参照しながら説明したワイヤレスデバイス５００、ワイヤレスデバイス６００、またはＵＥ１１５の一例であり得る、ＵＥ１１５−ｄを含み得る。ＵＥ１１５−ｄは、図５〜図７を参照しながら説明したＴＤＤ  ＬＬモジュール５１０の一例であり得る、ＴＤＤ  ＬＬモジュール８１０を含み得る。いくつかの例では、ＵＥ１１５−ｄは相補的構成モジュール８２５を含み得る。ＵＥ１１５−ｄはまた、通信を送信するための構成要素と通信を受信するための構成要素とを含む、双方向音声およびデータ通信のための構成要素を含み得る。たとえば、ＵＥ１１５−ｄは、基地局１０５−ｃまたはＵＥ１１５−ｅと双方向に通信し得る。場合によっては、ＴＤＤ  ＬＬモジュール８１０は図５のＴＤＤ  ＬＬモジュール５１０の態様を示し得る。
【０１０８】
[0122]相補的構成モジュール８２５は、図２〜図４を参照しながら上記で説明したように、フレームのための相補的送信構成を有する複数のＴＤＤ  ＣＣを識別し、それらの上で通信するように構成され得、ここで、相補的送信構成は、フレームの実質的にあらゆるサブフレーム中の第１の方向における送信のために構成された複数のＴＴＩと、第２の方向における送信のために構成された少なくとも１つのＴＴＩとを含み得る。いくつかの例では、相補的送信構成は、図３Ｄを参照しながら説明したように、ＴＤＤ  ＣＣのためのオフセットフレーム構造を含む。
【０１０９】
[0123]ＵＥ１１５−ｄはまた、プロセッサ８０５と、（ソフトウェア（ＳＷ）８２０を含む）メモリ８１５と、トランシーバ８３５と、１つまたは複数のアンテナ８４０とを含み得、それらの各々は、（たとえば、バス８４５を介して）直接または間接的に、互いに通信し得る。トランシーバ８３５は、上記で説明したように、（１つまたは複数の）アンテナ８４０またはワイヤードもしくはワイヤレスリンクを介して、１つまたは複数のネットワークと双方向に通信し得る。たとえば、トランシーバ８３５は、基地局１０５または別のＵＥ１１５と双方向に通信し得る。トランシーバ８３５は、パケットを変調し、変調されたパケットを送信用に（１つまたは複数の）アンテナ８４０に供給し、（１つまたは複数の）アンテナ８４０から受信されたパケットを復調するためにモデムを含み得る。ＵＥ１１５−ｄは、単一のアンテナ８４０を含み得るが、ＵＥ１１５−ｄは、複数のワイヤレス送信を同時に送信または受信することが可能な複数のアンテナ８４０を有することもある。場合によっては、トランシーバ８３５は、図５の受信機５０５、図５の送信機５１５の態様を示し得る。
【０１１０】
[0124]メモリ８１５は、ランダムアクセスメモリ（ＲＡＭ）と、読取り専用メモリ（ＲＯＭ）とを含み得る。メモリ８１５は、実行されたとき、プロセッサ８０５に本明細書で説明する様々な機能（たとえば、ＴＤＤにおけるＬＬなど）を実施させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接実行可能ではないことがあるが、（たとえば、コンパイルされ実行されたとき）本明細書で説明する機能をコンピュータに実施させ得る。プロセッサ８０５は、インテリジェントなハードウェアデバイス、（たとえば、中央処理ユニット（ＣＰＵ）、マイクロコントローラ、ＡＳＩＣなど）を含み得る。
【０１１１】
[0125]図９は、本開示の様々な態様による、ＴＤＤにおいてＬＬをサポートする基地局を含むシステム９００のブロック図を示す。システム９００は、図１、図２および図６〜図８を参照しながら上記で説明したワイヤレスデバイス５００、ワイヤレスデバイス６００または基地局１０５の一例であり得る基地局１０５−ｄを含み得る。基地局１０５−ｄは、図６〜図８を参照しながら説明された基地局ＴＤＤ  ＬＬモジュール９１０の一例であり得る、基地局ＴＤＤ  ＬＬモジュール９１０を含み得る。場合によっては、基地局ＴＤＤ  ＬＬモジュール９１０は図５のＴＤＤ  ＬＬモジュール５１０の態様を示し得る。基地局１０５−ｄはまた、通信を送信するための構成要素と通信を受信するための構成要素とを含む、双方向音声およびデータ通信のための構成要素を含み得る。たとえば、基地局１０５−ｄは、ＵＥ１１５−ｆまたはＵＥ１１５−ｇと双方向に通信し得る。
【０１１２】
[0126]場合によっては、基地局１０５−ｄは１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（inter-base station backhaul links）（たとえば、Ｘ２インターフェース）を介して、基地局１０５−ｅおよび基地局１０５−ｆなどの他の基地局１０５と通信し得る。基地局１０５の各々は、同じまたは異なるワイヤレス通信技術を使用してＵＥ１１５と通信し得る。場合によっては、基地局１０５−ｄは、基地局通信モジュール９２５を利用して１０５−ｅまたは１０５−ｆなどの他の基地局と通信し得る。いくつかの例では、基地局通信モジュール９２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｄは、コアネットワーク１３０を通じて他の基地局と通信し得る。場合によっては、基地局１０５−ｄは、ネットワーク通信モジュール９３０を通じてコアネットワーク１３０と通信し得る。
【０１１３】
[0127]基地局１０５−ｄは、プロセッサ９０５と、（ソフトウェア（ＳＷ）９２０を含む）メモリ９１５と、トランシーバ９３５と、（１つまたは複数の）アンテナ９４０とを含み得、それらの各々は、（たとえば、バスシステム９４５を介して）直接または間接的に、互いに通信していることがある。トランシーバ９３５は、（１つまたは複数の）アンテナ９４０を介して、マルチモードデバイスであり得るＵＥ１１５と双方向に通信するように構成され得る。トランシーバ９３５（または基地局１０５−ｄの他の構成要素）はまた、アンテナ９４０を介して、１つまたは複数の他の基地局（図示せず）と双方向に通信するように構成され得る。トランシーバ９３５は、パケットを変調し、変調されたパケットを送信用にアンテナ９４０に供給し、アンテナ９４０から受信されたパケットを復調するように構成されたモデムを含み得る。基地局１０５−ｄは、各々が１つまたは複数の関連するアンテナ９４０をもつ、複数のトランシーバ９３５を含み得る。トランシーバは、図５の組み合わされた受信機５０５と送信機５１５との一例であり得る。
【０１１４】
[0128]メモリ９１５はＲＡＭとＲＯＭとを含み得る。メモリ９１５はまた、実行されたとき、プロセッサ９０５に本明細書で説明する様々な機能（たとえば、ＴＤＤにおけるＬＬ、カバレージ拡張技法を選択すること、呼処理、データベース管理、メッセージルーティングなど）を実施させるように構成された命令を含んでいるコンピュータ可読、コンピュータ実行可能ソフトウェアコード９２０を記憶し得る。代替的に、ソフトウェア９２０は、プロセッサ９０５によって直接実行可能ではないことがあるが、（たとえば、コンパイルされ実行されたとき）コンピュータに本明細書で説明する機能を実施させるように構成され得る。プロセッサ９０５は、インテリジェントなハードウェアデバイス（たとえば、ＣＰＵ、マイクロコントローラ、ＡＳＩＣなど）を含み得る。プロセッサ９０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１１５】
[0129]基地局通信モジュール９２５は、他の基地局１０５との通信を管理し得る。通信管理モジュールは、他の基地局１０５と協働してＵＥ１１５との通信を制御するためのコントローラまたはスケジューラを含み得る。たとえば、基地局通信モジュール９２５は、ビームフォーミングまたはジョイント送信などの様々な干渉緩和技法のためのＵＥ１１５への送信のためのスケジューリングを協調させ得る。
【０１１６】
[0130]図１０は、本開示の様々な態様による、ＴＤＤにおけるＬＬのための方法１０００を示すフローチャートを示す。方法１０００の動作は、図１〜図９を参照しながら説明したように、ＵＥ１１５または基地局１０５、またはそれの構成要素などのデバイスによって実装され得る。たとえば、方法１０００の動作は、図５〜図８を参照しながら説明したように、ＴＤＤ  ＬＬモジュール５１０によって実施され得る。いくつかの例では、デバイスは、以下で説明する機能を実施するようにデバイスの機能要素を制御するためのコードのセットを実行し得る。追加または代替として、ＵＥは、専用ハードウェアを使用して、以下で説明する態様、機能を実施し得る。
【０１１７】
[0131]ブロック１００５において、デバイスは、図２〜図４を参照しながら上記で説明したように、ＴＤＤキャリアの第１のＴＴＩを識別し得、第１のＴＴＩは第１のＴＴＩ持続時間を有し、第１の方向における送信のために構成される。いくつかの例では、ブロック１００５の動作は、図６を参照しながら上記で説明したように第１のＴＴＩ識別モジュール６０５によって実施され得る。場合によっては、ブロック１００５の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１１８】
[0132]ブロック１０１０において、デバイスは、図２〜図４を参照しながら上記で説明したように、第１のＴＴＩ内の第２のＴＴＩを識別し得、第２のＴＴＩは、第２のＴＴＩ持続時間を有し、第１の方向から逆方向である第２の方向における送信のために構成される。いくつかの例では、ブロック１０１０の動作は、図６を参照しながら上記で説明したように第２のＴＴＩ識別モジュール６１０によって実施され得る。場合によっては、ブロック１０１０の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１１９】
[0133]ブロック１０１５において、デバイスは、図２〜図４を参照しながら上記で説明したように、第２のＴＴＩ中に第２の方向において通信し得る。いくつかの例では、ブロック１０１５の動作は、図５を参照しながら上記で説明したように送信機５１５によって実施され得る。場合によっては、ブロック１０１５の動作は、図８のトランシーバ８３５または図９のトランシーバ９３５によって実施され得る。
【０１２０】
[0134]図１１は、本開示の様々な態様による、ＴＤＤにおけるＬＬのための方法１１００を示すフローチャートを示す。方法１１００の動作は、図１〜図９を参照しながら説明したように、ＵＥ１１５または基地局１０５またはそれの構成要素などのデバイスによって実装され得る。いくつかの例では、デバイスは、以下で説明する機能を実施するようにデバイスの機能要素を制御するためのコードのセットを実行し得る。追加または代替として、デバイスは、専用ハードウェアを使用して、以下で説明する態様、機能を実施し得る。方法１１００はまた、図１０の方法１０００の態様を組み込み得る。
【０１２１】
[0135]ブロック１１０５において、デバイスは、図２〜図４を参照しながら上記で説明したように、ＴＤＤキャリアの第１のＴＴＩを識別し得、第１のＴＴＩは第１のＴＴＩ持続時間を有し、第１の方向における送信のために構成される。いくつかの例では、ブロック１１０５の動作は、図６を参照しながら上記で説明したように第１のＴＴＩ識別モジュール６０５によって実施され得る。場合によっては、ブロック１１０５の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１２２】
[0136]ブロック１１１０において、デバイスは、図２〜図４を参照しながら上記で説明したように、第１のＴＴＩ内の第２のＴＴＩを識別し得、第２のＴＴＩは、第２のＴＴＩ持続時間を有し、第１の方向から逆方向である第２の方向における送信のために構成される。いくつかの例では、ブロック１１１０の動作は、図６を参照しながら上記で説明したように第２のＴＴＩ識別モジュール６１０によって実施され得る。場合によっては、ブロック１１１０の動作は、図８のプロセッサ８０５または基地局ＴＤＤ  ＬＬモジュール８１０あるいは図９のプロセッサ９０５または基地局ＴＤＤ  ＬＬモジュール９１０によって実施され得る。
【０１２３】
[0137]ブロック１１１５において、デバイスは、図２〜図４を参照しながら上記で説明したように、第２のＴＴＩ中に第２の方向において通信し得る。いくつかの例では、ブロック１１１５の動作は、図５を参照しながら上記で説明したように送信機５１５によって実施され得る。場合によっては、ブロック１１１５の動作は、図８のトランシーバ８３５または図９のトランシーバ９３５によって実施され得る。
【０１２４】
[0138]ブロック１１２０において、デバイスは、図２〜図４を参照しながら上記で説明したように、第１のＴＴＩ内の第３のＴＴＩを識別し得、第３のＴＴＩは第２のＴＴＩ持続時間を有し、第１の方向における送信のために構成される。いくつかの例では、ブロック１１２０の動作は、図６を参照しながら上記で説明したように第２のＴＴＩ識別モジュール６１０によって実施され得る。場合によっては、ブロック１１２０の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１２５】
[0139]ブロック１１２５において、デバイスは、図２〜図４を参照しながら上記で説明したように、第２のＴＴＩと第３のＴＴＩとの間の第１のガード期間を識別し得、ここで、第１のガード期間は第１のＴＴＩ内にある。いくつかの例では、ブロック１１２５の動作は、図７を参照しながら上記で説明したようにガード期間モジュール７０５によって実施され得る。場合によっては、ブロック１１２５の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１２６】
[0140]図１２は、本開示の様々な態様による、ＴＤＤにおけるＬＬのための方法１２００を示すフローチャートを示す。方法１２００の動作は、図１〜図９を参照しながら説明したように、ＵＥ１１５または基地局１０５またはそれの構成要素などのデバイスによって実装され得る。たとえば、方法１２００の動作は、図５〜図８を参照しながら説明したように、ＴＤＤ  ＬＬモジュール５１０によって実施され得る。いくつかの例では、デバイスは、以下で説明する機能を実施するようにデバイスの機能要素を制御するためのコードのセットを実行し得る。追加または代替として、デバイスは、専用ハードウェアを使用して、以下で説明する態様、機能を実施し得る。方法１２００はまた、図１０〜図１１の方法１０００、および１１００の態様を組み込み得る。
【０１２７】
[0141]ブロック１２０５において、デバイスは、図２〜図４を参照しながら上記で説明したように、ＴＤＤキャリアの第１のＴＴＩを識別し得、第１のＴＴＩは第１のＴＴＩ持続時間を有し、第１の方向における送信のために構成される。いくつかの例では、ブロック１２０５の動作は、図６を参照しながら上記で説明したように第１のＴＴＩ識別モジュール６０５によって実施され得る。場合によっては、ブロック１２０５の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１２８】
[0142]ブロック１２１０において、デバイスは、図２〜図４を参照しながら上記で説明したように、第１のＴＴＩ内の第２のＴＴＩを識別し得、第２のＴＴＩは、第２のＴＴＩ持続時間を有し、第１の方向から逆方向である第２の方向における送信のために構成される。いくつかの例では、ブロック１２１０の動作は、図６を参照しながら上記で説明したように第２のＴＴＩ識別モジュール６１０によって実施され得る。場合によっては、ブロック１２１０の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１２９】
[0143]ブロック１２１５において、デバイスは、図２〜図４を参照しながら上記で説明したように、第２のＴＴＩ中に第２の方向において通信し得る。いくつかの例では、ブロック１２１５の動作は、図５を参照しながら上記で説明したように送信機５１５によって実施され得る。場合によっては、ブロック１２１５の動作は、図８のトランシーバ８３５または図９のトランシーバ９３５によって実施され得る。
【０１３０】
[0144]ブロック１２２０において、デバイスは、図２〜図４を参照しながら上記で説明したように、第２のＴＴＩと第３のＴＴＩとの間の第１のガード期間を識別し得、ここで、第１のガード期間は第１のＴＴＩ内にある。いくつかの例では、ブロック１２２０の動作は、図７を参照しながら上記で説明したようにガード期間モジュール７０５によって実施され得る。場合によっては、ブロック１２２０の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１３１】
[0145]ブロック１２２５において、デバイスは、図２〜図４を参照しながら上記で説明したように、第１のＴＴＩ内の第２のガード期間を識別し得る。場合によっては、第１のガード期間の持続時間と第２のガード期間の持続時間との和は第２のＴＴＩ持続時間に等しい。いくつかの例では、ブロック１２２５の動作は、図７を参照しながら上記で説明したようにガード期間モジュール７０５によって実施され得る。場合によっては、ブロック１２２５の動作は、図８のプロセッサ８０５または基地局ＴＤＤ  ＬＬモジュール８１０あるいは図９のプロセッサ９０５または基地局ＴＤＤ  ＬＬモジュール９１０によって実施され得る。
【０１３２】
[0146]図１３は、本開示の様々な態様による、ＴＤＤにおけるＬＬのための方法１３００を示すフローチャートを示す。方法１３００の動作は、図１〜図９を参照しながら説明したように、ＵＥ１１５または基地局１０５またはそれの構成要素などのデバイスによって実装され得る。たとえば、方法１３００の動作は、図５〜図８を参照しながら説明したように、ＴＤＤ  ＬＬモジュール５１０によって実施され得る。いくつかの例では、デバイスは、以下で説明する機能を実施するようにデバイスの機能要素を制御するためのコードのセットを実行し得る。追加または代替として、デバイスは、専用ハードウェアを使用して、以下で説明する態様、機能を実施し得る。方法１３００はまた、図１０〜図１２の方法１０００、１１００、および１２００の態様を組み込み得る。
【０１３３】
[0147]ブロック１３０５において、デバイスは、図２〜図４を参照しながら上記で説明したように、ＴＤＤキャリアの第１のＴＴＩを識別し得、第１のＴＴＩは第１のＴＴＩ持続時間を有し、第１の方向における送信のために構成される。いくつかの例では、ブロック１３０５の動作は、図６を参照しながら上記で説明したように第１のＴＴＩ識別モジュール６０５によって実施され得る。場合によっては、ブロック１３０５の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１３４】
[0148]ブロック１３１０において、デバイスは、図２〜図４を参照しながら上記で説明したように、第１のＴＴＩ内の第２のＴＴＩを識別し得、第２のＴＴＩは、第２のＴＴＩ持続時間を有し、第１の方向から逆方向である第２の方向における送信のために構成される。場合によっては、第１のＴＴＩ持続時間はＬＴＥサブフレームであり、第２のＴＴＩ持続時間は１つのＬＴＥシンボル期間である。いくつかの例では、ブロック１３１０の動作は、図６を参照しながら上記で説明したように第２のＴＴＩ識別モジュール６１０によって実施され得る。場合によっては、ブロック１３１０の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１３５】
[0149]ブロック１３１５において、デバイスは、図２〜図４を参照しながら上記で説明したように、第２のＴＴＩ中に第２の方向において通信し得る。いくつかの例では、ブロック１３１５の動作は、図５を参照しながら上記で説明したように送信機５１５によって実施され得る。場合によっては、ブロック１３１５の動作は、図８のトランシーバ８３５または図９のトランシーバ９３５によって実施され得る。
【０１３６】
[0150]ブロック１３２０において、デバイスは、図２〜図４を参照しながら上記で説明したように、第１のＴＴＩ持続時間を有し、ＤＬ部分とＵＬ部分とガード期間とを備える特殊サブフレームを識別し得、ガード期間は、第１または第２の方向における送信のために構成された１つまたは複数のＴＴＩを備える。いくつかの例では、ブロック１３２０の動作は、図７を参照しながら上記で説明したようにＰＴＳモジュール７１０によって実施され得る。場合によっては、ブロック１３２０の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１３７】
[0151]図１４は、本開示の様々な態様による、ＴＤＤにおけるＬＬのための方法１４００を示すフローチャートを示す。方法１４００の動作は、図１〜図９を参照しながら説明したように、ＵＥ１１５または基地局１０５またはそれの構成要素などのデバイスによって実装され得る。たとえば、方法１４００の動作は、図５〜図８を参照しながら説明したように、ＴＤＤ  ＬＬモジュール５１０によって実施され得る。いくつかの例では、デバイスは、以下で説明する機能を実施するようにデバイスの機能要素を制御するためのコードのセットを実行し得る。追加または代替として、デバイスは、専用ハードウェアを使用して、以下で説明する態様、機能を実施し得る。方法１４００はまた、図１０〜図１３の方法１０００、１１００、１２００、および１３００の態様を組み込み得る。
【０１３８】
[0152]ブロック１４０５において、デバイスは、図２〜図４を参照しながら上記で説明したように、ＴＤＤキャリアの第１のＴＴＩを識別し得、第１のＴＴＩは第１のＴＴＩ持続時間を有し、第１の方向における送信のために構成される。いくつかの例では、ブロック１４０５の動作は、図６を参照しながら上記で説明したように第１のＴＴＩ識別モジュール６０５によって実施され得る。場合によっては、ブロック１４０５の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１３９】
[0153]ブロック１４１０において、デバイスは、図２〜図４を参照しながら上記で説明したように、第１のＴＴＩ内の第２のＴＴＩを識別し得、第２のＴＴＩは、第２のＴＴＩ持続時間を有し、第１の方向から逆方向である第２の方向における送信のために構成される。いくつかの例では、ブロック１４１０の動作は、図６を参照しながら上記で説明したように第２のＴＴＩ識別モジュール６１０によって実施され得る。場合によっては、ブロック１４１０の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１４０】
[0154]ブロック１４１５において、デバイスは、図２〜図４を参照しながら上記で説明したように、第２のＴＴＩ中に第２の方向において通信し得る。場合によっては、第１の方向はＵＬ方向であり、第２の方向はＤＬ方向である。場合によっては、通信することは、第２のＴＴＩ中に信号を受信することを含む。いくつかの例では、ブロック１４１５の動作は、図５を参照しながら上記で説明したように送信機５１５によって実施され得る。場合によっては、ブロック１４１５の動作は、図８のトランシーバ８３５または図９のトランシーバ９３５によって実施され得る。
【０１４１】
[0155]図１５は、本開示の様々な態様による、ＴＤＤにおけるＬＬのための方法１５００を示すフローチャートを示す。方法１５００の動作は、図１〜図９を参照しながら説明したように、ＵＥ１１５または基地局１０５またはそれの構成要素などのデバイスによって実装され得る。たとえば、方法１５００の動作は、図５〜図８を参照しながら説明したように、ＴＤＤ  ＬＬモジュール５１０によって実施され得る。いくつかの例では、デバイスは、以下で説明する機能を実施するようにデバイスの機能要素を制御するためのコードのセットを実行し得る。追加または代替として、デバイスは、専用ハードウェアを使用して、以下で説明する態様、機能を実施し得る。方法１５００はまた、図１０〜図１４の方法１０００、１１００、１２００、１３００、および１４００の態様を組み込み得る。
【０１４２】
[0156]ブロック１５０５において、デバイスは、図２〜図４を参照しながら上記で説明したように、ＴＤＤキャリアの第１のＴＴＩを識別し得、第１のＴＴＩは第１のＴＴＩ持続時間を有し、第１の方向における送信のために構成される。いくつかの例では、ブロック１５０５の動作は、図６を参照しながら上記で説明したように第１のＴＴＩ識別モジュール６０５によって実施され得る。場合によっては、ブロック１５０５の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１４３】
[0157]ブロック１５１０において、デバイスは、図２〜図４を参照しながら上記で説明したように、第１のＴＴＩ内の第２のＴＴＩを識別し得、第２のＴＴＩは、第２のＴＴＩ持続時間を有し、第１の方向から逆方向である第２の方向における送信のために構成される。いくつかの例では、ブロック１５１０の動作は、図６を参照しながら上記で説明したように第２のＴＴＩ識別モジュール６１０によって実施され得る。場合によっては、ブロック１５１０の動作は、図８のプロセッサ８０５またはＴＤＤ  ＬＬモジュール８１０あるいは図９のプロセッサ９０５または基地局ＴＤＤ  ＬＬモジュール９１０によって実施され得る。
【０１４４】
[0158]ブロック１５１５において、デバイスは、図２〜図４を参照しながら上記で説明したように、第２のＴＴＩ中に第２の方向において通信し得る。場合によっては、第２のＣＣはＴＤＤ  ＣＣであり、第１のＴＴＩと第２のＴＴＩは両方とも半二重動作のために構成される。いくつかの例では、ブロック１５１５の動作は、図５を参照しながら上記で説明したように送信機５１５によって実施され得る。場合によっては、ブロック１５１５の動作は、図８のトランシーバ８３５または図９のトランシーバ９３５によって実施され得る。
【０１４５】
[0159]ブロック１５２０において、デバイスは、図２〜図４を参照しながら上記で説明したように、第１のＴＴＩ内のガード期間中に通信するのを控え得る。いくつかの例では、ブロック１５２０の動作は、図７を参照しながら上記で説明したようにガード期間モジュール７０５によって実施され得る。場合によっては、ブロック１５２０の動作は、図８のトランシーバ８３５または図９のトランシーバ９３５によって実施され得る。
【０１４６】
[0160]ブロック１５２５において、デバイスは、図２〜図４を参照しながら上記で説明したように、ガード期間と整列された第２のＴＴＩ持続時間を有する第３のＴＴＩ中に第２のＴＤＤ  ＣＣ上で第１の方向において通信し得る。いくつかの例では、ブロック１５２５の動作は、図７を参照しながら上記で説明したようにガード期間モジュール７０５によって実施され得る。場合によっては、ブロック１５２５の動作は、図８のトランシーバ８３５または図９のトランシーバ９３５によって実施され得る。
【０１４７】
[0161]このようにして、方法１０００、１１００、１２００、１３００、１４００、および１５００は、ＴＤＤにおけるＬＬを提供し得る。方法１０００、１１００、１２００、１３００、１４００、および１５００は可能な実装形態について説明していることと、動作およびステップは、他の実装形態が可能であるように、並べ替えられるかまたは別の方法で修正され得ることとに留意されたい。いくつかの例では、方法１０００、１１００、１２００、１３００、１４００、および１５００のうちの２つ以上からの態様が組み合わされ得る。
【０１４８】
[0162]添付の図面に関して上に記載された詳細な説明は、例示的な構成を説明しており、実装され得るかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実践され得る。場合によっては、説明する例の概念を不明瞭にすることを回避するために、周知の構造およびデバイスはブロック図の形態で示される。
【０１４９】
[0163]情報および信号は、様々な異なる技術および技法のいずれかを使用して表され得る。たとえば、上の説明全体を通じて参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１５０】
[0164]本明細書の本開示に関して説明した様々な例示的なブロックおよびモジュールは、汎用プロセッサ、ＤＳＰ、ＡＳＩＣ、ＦＰＧＡもしくは他のプログラマブル論理デバイス、個別ゲートもしくはトランジスタ論理、個別ハードウェア構成要素、または本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（たとえば、ＤＳＰとマイクロプロセッサとの組合せ、複数のマイクロプロセッサ、ＤＳＰコアと連携する１つもしくは複数のマイクロプロセッサ、または任意の他のそのような構成）として実装され得る。
【０１５１】
[0165]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのいずれかの組合せを使用して実装され得る。機能を実施する特徴はまた、異なる物理的位置において機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。当業者に知られているかまたは後に知られるようになる、本開示を通して記載される様々な態様の要素に対するすべての構造的および機能的な等価物は、参照により本明細書に明示的に組み込まれ、特許請求の範囲によって包含されるものである。さらに、本明細書で開示されるいかなることも、そのような開示が特許請求の範囲に明示的に具陳されているかどうかにかかわらず、公に供されるものではない。「モジュール」、「機構」、「要素」、「デバイス」などの単語は「手段」という単語の代替ではないことがある。したがって、いかなるクレーム要素も、その要素が「ための手段」という句を使用して明確に列挙されていない限り、ミーンズプラスファンクションとして解釈されるべきではない。
【０１５２】
[0166]コンピュータ可読媒体は、ある場所から別の場所へのコンピュータプログラムの移転を容易にする任意の媒体を含む通信媒体と、非一時的コンピュータ記憶媒体との両方を含む。非一時的記憶媒体は、汎用コンピュータまたは専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１５３】
[0167]本開示の前述の説明は、当業者が本開示を作成または使用することを可能にするために提供される。本開示の様々な変更は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
【０１５４】
[0168]本明細書で説明した技法は、ＣＤＭＡ、時分割多元接続（ＴＤＭＡ）、周波数分割多元接続（ＦＤＭＡ）、ＯＦＤＭＡ、ＳＣ−ＦＤＭＡ、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサル・モバイル通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上述のシステムおよび無線技術ならびに他のシステムおよび無線技術に使用され得る。しかしながら、上記の説明は、例としてＬＴＥシステムについて説明し、上記の説明の大部分においてＬＴＥ用語が使用されるが、本技法はＬＴＥの適用例以外に適用可能である。
以下に本願の出願当初の特許請求の範囲に記載された発明を付記する。
［Ｃ１］
時分割複信（ＴＤＤ）キャリアの第１の送信時間間隔（ＴＴＩ）を識別することと、前記第１のＴＴＩが第１のＴＴＩ持続時間を有し、第１の方向における送信のために構成される、
前記第１のＴＴＩ内の第２のＴＴＩを識別することと、前記第２のＴＴＩが第２のＴＴＩ持続時間を有し、前記第１の方向から逆方向である第２の方向における送信のために構成される、
前記第２のＴＴＩ中に前記第２の方向において通信することと
を備える、ワイヤレス通信の方法。
［Ｃ２］
前記第１のＴＴＩ内の第３のＴＴＩを識別すること、ここにおいて、前記第３のＴＴＩが前記第１の方向における送信のために構成される、
をさらに備える、Ｃ１に記載の方法。
［Ｃ３］
前記第２のＴＴＩと前記第３のＴＴＩとの間の第１のガード期間を識別すること、ここにおいて、前記第１のガード期間が前記第１のＴＴＩ内にある、
をさらに備える、Ｃ２に記載の方法。
［Ｃ４］
前記第１のＴＴＩまたは前記第２のＴＴＩを識別することが、
前記第１のＴＴＩまたは前記第２のＴＴＩを示す制御シグナリングを受信すること
を備える、Ｃ１に記載の方法。
［Ｃ５］
前記第１のＴＴＩ持続時間がロングタームエボリューション（ＬＴＥ）サブフレームを備え、前記第２のＴＴＩ持続時間が１つまたは複数のＬＴＥシンボル期間を備える、Ｃ１に記載の方法。
［Ｃ６］
前記第１のＴＴＩ持続時間を有し、ダウンリンク（ＤＬ）部分とアップリンク（ＵＬ）部分とガード期間とを備える特殊サブフレームを識別すること、前記ガード期間が前記第１または第２の方向における送信のために構成された１つまたは複数のＴＴＩを備える、をさらに備える、Ｃ１に記載の方法。
［Ｃ７］
前記第１の方向がアップリンク（ＵＬ）方向であり、前記第２の方向がダウンリンク（ＤＬ）方向であり、前記通信することが、
前記第２のＴＴＩ中に信号を受信すること
を備える、Ｃ１に記載の方法。
［Ｃ８］
前記第１の方向がダウンリンク（ＤＬ）方向であり、前記第２の方向がアップリンク（ＵＬ）方向であり、前記通信することが、
前記第２のＴＴＩ中に信号を送信すること
を備える、Ｃ１に記載の方法。
［Ｃ９］
前記第２のＴＴＩを識別することは、
前記第１のＴＴＩがシステム情報ブロック１（ＳＩＢ１）送信のためにスケジュールされないと決定すること、
前記第２のＴＴＩがセル固有基準信号（ＣＲＳ）送信のためにスケジュールされないと決定すること、あるいは
前記第２のＴＴＩが、物理ブロードキャストチャネル、同期チャネル、または共通探索空間のうちの少なくとも１つのために予約されたリソースブロックにおいてスケジュールされないと決定すること
のうちの少なくとも１つを備える、Ｃ１に記載の方法。
［Ｃ１０］
前記ＴＤＤキャリアが、キャリアアグリゲーション（ＣＡ）動作のために構成された複数のコンポーネントキャリア（ＣＣ）のうちのＣＣであり、前記複数のＣＣが第２のＣＣを備える、Ｃ１に記載の方法。
［Ｃ１１］
前記第２のＣＣがＴＤＤ  ＣＣであり、前記第１のＴＴＩと前記第２のＴＴＩが両方とも半二重動作のために構成される、Ｃ１０に記載の方法。
［Ｃ１２］
前記ＴＤＤキャリアと前記第２のＣＣとがＴＤＤ  ＣＣであり、前記ＴＤＤキャリアと前記第２のＣＣとがフレームのための相補的送信構成を有し、ここにおいて、前記相補的送信構成が、前記フレームの実質的にあらゆるサブフレームにおける前記第１の方向における送信のために構成された複数のＴＴＩと、前記第２の方向における送信のために構成された少なくとも１つのＴＴＩとを備える、Ｃ１０に記載の方法。
［Ｃ１３］
前記相補的送信構成が前記ＴＤＤキャリアと前記第２のＣＣとのためのオフセットフレーム構造を備える、Ｃ１２に記載の方法。
［Ｃ１４］
ＣＡ動作のために構成された前記複数のＣＣが、前記第１または第２の方向のうちの１つにおける送信のためにそれぞれ構成された前記第１のＴＴＩ持続時間のＴＴＩを備えるフレームを有する第３のＣＣをさらに備える、Ｃ１０に記載の方法。
［Ｃ１５］
前記第２のＴＴＩが、第１の時間期間中の前記ＴＤＤキャリア上の第３の方向における送信のために構成され、第２の時間期間中の前記第３の方向における前記第２のＣＣ上の送信のために構成される、Ｃ１０に記載の方法。
［Ｃ１６］
時分割複信（ＴＤＤ）キャリアの第１の送信時間間隔（ＴＴＩ）を識別するための手段と、前記第１のＴＴＩが第１のＴＴＩ持続時間を有し、第１の方向における送信のために構成される、
前記第１のＴＴＩ内の第２のＴＴＩを識別するための手段と、前記第２のＴＴＩが第２のＴＴＩ持続時間を有し、前記第１の方向から逆方向である第２の方向における送信のために構成される、
前記第２のＴＴＩ中に前記第２の方向において通信するための手段と
を備える、ワイヤレス通信のための装置。
［Ｃ１７］
前記第１のＴＴＩ内の第３のＴＴＩを識別するための手段、ここにおいて、前記第３のＴＴＩが前記第１の方向における送信のために構成される、
をさらに備える、Ｃ１６に記載の装置。
［Ｃ１８］
前記第２のＴＴＩと前記第３のＴＴＩとの間の第１のガード期間を識別するための手段、ここにおいて、前記第１のガード期間が前記第１のＴＴＩ内にある、
をさらに備える、Ｃ１７に記載の装置。
［Ｃ１９］
前記第１のＴＴＩまたは前記第２のＴＴＩを識別するための前記手段が、
前記第１のＴＴＩまたは前記第２のＴＴＩを示す制御シグナリングを受信するための手段
を備える、Ｃ１６に記載の装置。
［Ｃ２０］
前記第１のＴＴＩ持続時間がロングタームエボリューション（ＬＴＥ）サブフレームを備え、前記第２のＴＴＩ持続時間が１つまたは複数のＬＴＥシンボル期間を備える、Ｃ１６に記載の装置。
［Ｃ２１］
前記第１のＴＴＩ持続時間を有し、ダウンリンク（ＤＬ）部分とアップリンク（ＵＬ）部分とガード期間とを備える特殊サブフレームを識別するための手段、前記ガード期間が前記第１または第２の方向における送信のために構成された１つまたは複数のＴＴＩを備える、
をさらに備える、Ｃ１６に記載の装置。
［Ｃ２２］
前記第１の方向がアップリンク（ＵＬ）方向であり、前記第２の方向がダウンリンク（ＤＬ）方向であり、通信するための前記手段が、
前記第２のＴＴＩ中に信号を受信するための手段
を備える、Ｃ１６に記載の装置。
［Ｃ２３］
前記第１の方向がダウンリンク（ＤＬ）方向であり、前記第２の方向がアップリンク（ＵＬ）方向であり、通信するための前記手段が、
前記第２のＴＴＩ中に信号を送信するための手段
を備える、Ｃ１６に記載の装置。
［Ｃ２４］
前記第２のＴＴＩを識別するための前記手段が、
前記第１のＴＴＩがシステム情報ブロック１（ＳＩＢ１）送信のためにスケジュールされないと決定するための手段、
前記第２のＴＴＩがセル固有基準信号（ＣＲＳ）送信のためにスケジュールされないと決定するための手段、あるいは
前記第２のＴＴＩが、物理ブロードキャストチャネル、同期チャネル、または共通探索空間のうちの少なくとも１つのために予約されたリソースブロックにおいてスケジュールされないと決定するための手段
を備える、Ｃ１６に記載の装置。
［Ｃ２５］
前記ＴＤＤキャリアが、キャリアアグリゲーション（ＣＡ）動作のために構成された複数のコンポーネントキャリア（ＣＣ）のうちのＣＣであり、前記複数のＣＣが第２のＣＣを備える、Ｃ１６に記載の装置。
［Ｃ２６］
前記第２のＣＣがＴＤＤ  ＣＣであり、前記第１のＴＴＩと前記第２のＴＴＩが両方とも半二重動作のために構成される、Ｃ２５に記載の装置。
［Ｃ２７］
前記ＴＤＤキャリアと前記第２のＣＣとがＴＤＤ  ＣＣであり、前記ＴＤＤキャリアと前記第２のＣＣとがフレームのための相補的送信構成を有し、ここにおいて、前記相補的送信構成が、前記フレームの実質的にあらゆるサブフレームにおける前記第１の方向における送信のために構成された複数のＴＴＩと、前記第２の方向における送信のために構成された少なくとも１つのＴＴＩとを備える、Ｃ２５に記載の装置。
［Ｃ２８］
前記相補的送信構成が前記ＴＤＤキャリアと前記第２のＣＣとのためのオフセットフレーム構造を備える、Ｃ２７に記載の装置。
［Ｃ２９］
ワイヤレス通信のための装置であって、
プロセッサと、
前記プロセッサと電子通信しているメモリと、
前記メモリに記憶された命令とを備え、ここにおいて、前記命令は、
時分割複信（ＴＤＤ）キャリアの第１の送信時間間隔（ＴＴＩ）を識別することと、前記第１のＴＴＩが第１のＴＴＩ持続時間を有し、第１の方向における送信のために構成される、
前記第１のＴＴＩ内の第２のＴＴＩを識別することと、前記第２のＴＴＩが第２のＴＴＩ持続時間を有し、前記第１の方向から逆方向である第２の方向における送信のために構成される、
前記第２のＴＴＩ中に前記第２の方向において通信することと
を前記装置に行わせるように前記プロセッサによって実行可能である、装置。
［Ｃ３０］
ワイヤレス通信のためのコードを記憶する非一時的コンピュータ可読媒体であって、前記コードは、
時分割複信（ＴＤＤ）キャリアの第１の送信時間間隔（ＴＴＩ）を識別することと、前記第１のＴＴＩが第１のＴＴＩ持続時間を有し、第１の方向における送信のために構成される、
前記第１のＴＴＩ内の第２のＴＴＩを識別することと、前記第２のＴＴＩが第２のＴＴＩ持続時間を有し、前記第１の方向から逆方向である第２の方向における送信のために構成される、
前記第２のＴＴＩ中に前記第２の方向において通信することと
を行うように実行可能な命令を備える、非一時的コンピュータ可読媒体。
【図１】
0006487053.tif 000003
【図２】
0006487053.tif 000004
【図３Ａ】
0006487053.tif 000005
【図３Ｂ】
0006487053.tif 000006
【図３Ｃ】
0006487053.tif 000007
【図３Ｄ】
0006487053.tif 000008
【図３Ｅ】
0006487053.tif 000009
【図４】
0006487053.tif 000010
【図５】
0006487053.tif 000011
【図６】
0006487053.tif 000012
【図７】
0006487053.tif 000013
【図８】
0006487053.tif 000014
【図９】
0006487053.tif 000015
【図１０】
0006487053.tif 000016
【図１１】
0006487053.tif 000017
【図１２】
0006487053.tif 000018
【図１３】
0006487053.tif 000019
【図１４】
0006487053.tif 000020
【図１５】
0006487053.tif 000021